(57)【要約】  本発明の実施形態は、アップリンク制御情報送信方法、ユーザ機器、および基地局を提供する。第1のアップリンク復調参照信号UL DMRSパターンにおいて、アップリンクサブフレーム内の1つの直交周波数分割多重OFDMシンボル内のリソース要素REが、UL DMRSを搬送するのに使用される。この方法は、ユーザ機器UEによって、第1のUL DMRSパターンに従ってアップリンクサブフレーム内のREにアップリンク制御情報UCIをマッピングするステップであって、UCIを搬送するREが配置されるOFDMシンボルは、UL DMRSを搬送するREが配置されるOFDMシンボルに隣接する、マッピングするステップと、UEによって、基地局に、UCIを搬送するアップリンクサブフレームを送信するステップとを含む。UCIが、アップリンクサブフレーム内でUL DMRSの位置に隣接する位置で搬送されるので、基地局によるUCI復調の性能が、改善され、これによって、データ送信レートおよびネットワークスループットが改善される。
2016527758.tif 000002
【特許請求の範囲】
【請求項１】
第1のアップリンク復調参照信号UL DMRSパターンにおいて、アップリンクサブフレーム内の1つの直交周波数分割多重OFDMシンボル内のリソース要素REが、前記UL DMRSを搬送するのに使用される、アップリンク制御情報送信方法であって、
ユーザ機器UEによって、前記第1のUL DMRSパターンに従って前記アップリンクサブフレーム内のREにアップリンク制御情報UCIをマッピングするステップであって、前記UCIを搬送する前記REが配置されるOFDMシンボルは、前記UL DMRSを搬送する前記REが配置される前記OFDMシンボルに隣接する、マッピングするステップと、
前記UEによって、基地局に、前記UCIを搬送する前記アップリンクサブフレームを送信するステップと
を含む方法。
【請求項２】
前記UL DMRSは、前記アップリンクサブフレーム内の第4のOFDMシンボル内のRE上で搬送され、前記アップリンクサブフレームは、14個のOFDMシンボルを含む、請求項1に記載の方法。
【請求項３】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項1または2に記載の方法。
【請求項４】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項1から3のいずれか一項に記載の方法。
【請求項５】
ユーザ機器UEによって、前記第1のアップリンク復調参照信号UL DMRSパターンに従って前記アップリンクサブフレーム内のリソース要素REにアップリンク制御情報UCIをマッピングする前記ステップは、
前記UEによって、前記第1のOFDMシンボル内の前記REに前記RIをマッピングするステップと、
前記UEによって、前記第2のOFDMシンボル内の前記REに前記ACKおよび前記NACKのうちの前記少なくとも1つをマッピングするステップと、
前記UEによって、第1のREに前記CQI、前記PMI、および前記PUSCH上の前記データのうちの少なくとも1つをマッピングするステップであって、前記第1のREは、UL DMRSを搬送せず、RIを搬送せず、ACKまたはNACKを搬送しないREである、マッピングするステップと
を含む、請求項4に記載の方法。
【請求項６】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内にあり、RIを搬送しない、前記第1のOFDMシンボル内および第7のシンボル内のREに、前記ACKおよび前記NACKのうちの前記少なくとも1つの、前記第1の部分を除く第2の部分をマッピングするステップ
を含む、請求項5に記載の方法。
【請求項７】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングするステップ
を含む、請求項5に記載の方法。
【請求項８】
前記UEによって、前記第1のOFDMシンボル内の前記REに前記RIをマッピングする前記ステップは、
前記UEによって、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングするステップ
を含む、請求項5に記載の方法。
【請求項９】
前記UEによって、前記第1のOFDMシンボル内の前記REに前記RIをマッピングする前記ステップは、
セット順序に従って、前記UEによって、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするステップ
を含む、請求項5に記載の方法。
【請求項１０】
前記UEによって、前記第1のOFDMシンボル内の前記REに前記RIをマッピングする前記ステップは、
セット順序に従って、前記UEによって、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに、前記ACKおよび前記NACKのうちの前記少なくとも1つをマッピングするステップ
を含む、請求項5に記載の方法。
【請求項１１】
前記UEによって、前記第1のOFDMシンボル内の前記REに前記RIをマッピングする前記ステップは、
前記UEによって、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするステップ
を含む、請求項5に記載の方法。
【請求項１２】
ユーザ機器UEによって、前記第1のアップリンク復調参照信号UL DMRSパターンに従って前記アップリンクサブフレーム内のリソース要素REにアップリンク制御情報UCIをマッピングする前記ステップは、
前記UEによって、前記第1のOFDMシンボル内の前記REに前記RIをマッピングするステップと、
前記UEによって、UL DMRSおよびRIのいずれをも搬送しないREに前記CQI、前記PMI、および前記PUSCH上の前記データのうちの少なくとも1つをマッピングするステップと、
前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きするステップと
を含む、請求項4に記載の方法。
【請求項１３】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内にあり、RIを搬送しない、前記第1のOFDMシンボルおよび前記第7のシンボル内のREに、前記ACKおよび前記NACKのうちの前記少なくとも1つの、前記第1の部分を除く第2の部分をマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするステップ
を含む、請求項12に記載の方法。
【請求項１４】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするステップ
を含む、請求項12に記載の方法。
【請求項１５】
前記UEによって、前記第1のOFDMシンボル内の前記REに前記RIをマッピングする前記ステップは、
前記UEによって、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングし、前記第1のOFDMシンボル内の前記RE、前記第2のOFDMシンボル内の前記RE、前記第3のOFDMシンボル内の前記RE、前記第5のOFDMシンボル内の前記RE、前記第6のOFDMシンボル内の前記RE、および前記第7のOFDMシンボル内の前記RE上で搬送される前記CQI、前記PMI、および前記PUSCH上の前記データのうちの前記少なくとも1つを上書きするステップ
を含む、請求項12に記載の方法。
【請求項１６】
前記UEによって、前記第1のOFDMシンボル内の前記REに前記RIをマッピングする前記ステップは、
セット順序に従って、前記UEによって、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするステップ
を含む、請求項12に記載の方法。
【請求項１７】
前記UEによって、前記第1のOFDMシンボル内の前記REに前記RIをマッピングする前記ステップは、
セット順序に従って、前記UEによって、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに前記ACKおよび前記NACKのうちの前記少なくとも1つをマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするステップ
を含む、請求項12に記載の方法。
【請求項１８】
前記UEによって、前記第1のOFDMシンボル内の前記REに前記RIをマッピングする前記ステップは、
前記UEによって、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするステップ
を含む、請求項12に記載の方法。
【請求項１９】
前記セット順序は、データがそれに従って前記アップリンクサブフレーム内の前記RE上で搬送される、前記アップリンクサブフレーム内の最後の搬送波から最初の搬送波へおよび各搬送波内の最初のOFDMシンボル内のREから最後のOFDMシンボル内のREへの順序であり、前記データは、前記UCIおよび前記UL DMRSのうちの少なくとも1つを含む、請求項6から11または13から18のいずれか一項に記載の方法。
【請求項２０】
前記UEによって、指示情報を前記基地局に送信するステップであって、前記指示情報は、前記RIと前記ACKおよび前記NACKのうちの前記少なくとも1つとによって占められるREの、前記アップリンクサブフレームの時間-周波数リソース内の位置を示すのに使用される、送信するステップ
をさらに含む、請求項5から19のいずれか一項に記載の方法。
【請求項２１】
前記時間-周波数リソースは、リソースブロック、リソースブロック対、およびリソースブロックグループというリソースのうちの少なくとも1つを含む、請求項20に記載の方法。
【請求項２２】
第1のアップリンク復調参照信号UL DMRSパターンにおいて、アップリンクサブフレーム内の1つの直交周波数分割多重OFDMシンボル内のREが、前記UL DMRSを搬送するのに使用される、アップリンク制御情報送信方法であって、
基地局によって、ユーザ機器UEによって送信されたアップリンクサブフレームを受信するステップであって、前記アップリンクサブフレーム内のリソース要素REは、前記第1のアップリンク復調参照信号UL DMRSパターンに従ってアップリンク制御情報UCIを搬送し、前記UCIを搬送する前記REが配置されるOFDMシンボルは、前記UL DMRSを搬送する前記REが配置される前記OFDMシンボルに隣接する、受信するステップと、
前記基地局によって、前記第1のUL DMRSパターンに従って、前記アップリンクサブフレーム内で搬送される前記UCIを獲得するステップと
を含む方法。
【請求項２３】
前記UL DMRSは、前記アップリンクサブフレーム内の第4のOFDMシンボル内のRE上で搬送され、前記アップリンクサブフレームは、14個のOFDMシンボル内にREを含む、請求項22に記載の方法。
【請求項２４】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項22または23に記載の方法。
【請求項２５】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項22から24のいずれか一項に記載の方法。
【請求項２６】
前記基地局によって、前記第1のUL DMRSパターンに従って、前記アップリンクサブフレーム内で搬送される前記UCIを獲得する前記ステップは、
前記基地局によって、前記第1のOFDMシンボル内の前記RE上で搬送される前記RIを獲得するステップと、
前記基地局によって、前記第2のOFDMシンボル内の前記RE上で搬送される前記ACKおよび前記NACKのうちの前記少なくとも1つを獲得するステップと、
前記基地局によって、第1のRE上で搬送される前記CQI、前記PMI、および前記PUSCH上の前記データのうちの少なくとも1つを獲得するステップであって、前記第1のREは、UL DMRSを搬送せず、RIを搬送せず、ACKまたはNACKを搬送しないREである、獲得するステップと
を含む、請求項25に記載の方法。
【請求項２７】
前記基地局によって、前記第1のOFDMシンボル内の前記RE上で搬送される前記RIを獲得する前記ステップは、前記基地局によって、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得するステップを含み、
前記基地局によって、前記第2のOFDMシンボル内の前記RE上で搬送される前記ACKおよび前記NACKのうちの前記少なくとも1つを獲得する前記ステップは、前記基地局によって、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のREおよび前記アップリンクサブフレーム内の前記第7のOFDMシンボル内のRE上で搬送される前記ACKおよび前記NACKのうちの前記少なくとも1つの、前記第1の部分を除く第2の部分とを獲得するステップを含む
請求項26に記載の方法。
【請求項２８】
前記基地局によって、前記第1のOFDMシンボル内の前記RE上で搬送される前記RIを獲得する前記ステップは、前記基地局によって、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得するステップを含み、
前記基地局によって、前記第2のOFDMシンボル内の前記RE上で搬送される前記ACKおよび前記NACKのうちの前記少なくとも1つを獲得する前記ステップは、前記基地局によって、前記アップリンクサブフレーム内の前記第1のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第7のOFDMシンボル内のRE上で搬送される前記ACKおよび前記NACKのうちの前記少なくとも1つを獲得するステップを含む
請求項26に記載の方法。
【請求項２９】
前記基地局によって、前記第1のOFDMシンボル内の前記RE上で搬送される前記RIを獲得する前記ステップは、前記基地局によって、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記RIを獲得するステップを含み、
前記基地局によって、前記第2のOFDMシンボル内の前記RE上で搬送される前記ACKおよび前記NACKのうちの前記少なくとも1つを獲得する前記ステップは、前記基地局によって、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記ACKおよび前記NACKのうちの前記少なくとも1つの、前記第1の部分を除く第2の部分とを獲得するステップを含む
請求項26に記載の方法。
【請求項３０】
前記基地局によって、前記第1のOFDMシンボル内の前記RE上で搬送される前記RIを獲得するステップは、前記基地局によって、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得するステップを含み、
前記基地局によって、前記第2のOFDMシンボル内の前記RE上で搬送される前記ACKおよび前記NACKのうちの前記少なくとも1つを獲得する前記ステップは、前記基地局によって、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第2のOFDMシンボル内のREおよび前記アップリンクサブフレーム内の前記第6のOFDMシンボル内のRE上で搬送される前記ACKおよび前記NACKのうちの前記少なくとも1つの、前記第1の部分を除く第2の部分とを獲得するステップを含む
請求項26に記載の方法。
【請求項３１】
前記基地局によって、前記第1のOFDMシンボル内の前記RE上で搬送される前記RIを獲得する前記ステップは、前記基地局によって、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得するステップを含み、
前記基地局によって、前記第2のOFDMシンボル内の前記RE上で搬送される前記ACKおよび前記NACKのうちの前記少なくとも1つを獲得する前記ステップは、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のRE上で搬送される前記ACKおよび前記NACKのうちの前記少なくとも1つを獲得するステップを含む
請求項26に記載の方法。
【請求項３２】
前記基地局によって、前記第1のOFDMシンボル内の前記RE上で搬送される前記RIを獲得する前記ステップは、前記基地局によって、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のRE上で搬送される前記RIを獲得するステップを含み、
前記基地局によって、前記第2のOFDMシンボル内の前記RE上で搬送される前記ACKおよび前記NACKのうちの前記少なくとも1つを獲得する前記ステップは、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内にある前記第2のOFDMシンボルおよび前記第6のOFDMシンボル内のRE上で搬送される前記ACKおよび前記NACKのうちの前記少なくとも1つの、前記第1の部分を除く第2の部分とを獲得するステップを含む
請求項26に記載の方法。
【請求項３３】
前記基地局によって、前記UEによって送信された指示情報を受信するステップであって、前記指示情報は、前記RIと前記ACKおよび前記NACKのうちの前記少なくとも1つとによって占められるREの、前記アップリンクサブフレームの時間-周波数リソース内の位置を示すのに使用される、受信するステップ
をさらに含み、前記基地局によって、前記第1のOFDMシンボル内の前記RE上で搬送される前記RIを獲得する前記ステップは、前記基地局によって、前記指示情報に従って、前記第1のOFDMシンボル内の前記RE上で搬送される前記RIを獲得するステップを含み、
前記基地局によって、前記第2のOFDMシンボル内の前記RE上で搬送される前記ACKおよび前記NACKのうちの前記少なくとも1つを獲得する前記ステップは、前記基地局によって、前記指示情報に従って、前記第2のOFDMシンボル内の前記RE上で搬送される前記ACKおよび前記NACKのうちの前記少なくとも1つを獲得するステップを含む
請求項27から32のいずれか一項に記載の方法。
【請求項３４】
前記時間-周波数リソースは、リソースブロック、リソースブロック対、およびリソースブロックグループというリソースのうちの少なくとも1つを含む、請求項33に記載の方法。
【請求項３５】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される、アップリンク制御情報送信方法であって、
ユーザ機器UEによって、基地局によって送信されたトリガ情報を受信するステップであって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、受信するステップと、
前記トリガ情報に従い、前記第2のUL DMRSパターンに従って、前記ユーザ機器UEによって、アップリンク制御情報UCIを前記第2のアップリンクサブフレームにマッピングし、前記第2のアップリンクサブフレームを前記基地局に送信するステップと
を含む方法。
【請求項３６】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項35に記載の方法。
【請求項３７】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項35に記載の方法。
【請求項３８】
前記DCI指示は、物理ダウンリンク制御チャネルPDCCH上で搬送され、前記PDCCHのフォーマットは、アップリンクスケジューリングに使用されるDCIフォーマットである、請求項37に記載の方法。
【請求項３９】
アップリンクスケジューリングに使用される前記DCIフォーマットは、DCIフォーマット0またはDCIフォーマット4を含む、請求項38に記載の方法。
【請求項４０】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項35に記載の方法。
【請求項４１】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項35に記載の方法。
【請求項４２】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される、アップリンク制御情報送信方法であって、
基地局によって、ユーザ機器UEにトリガ情報を送信するステップであって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、送信するステップと、
前記基地局によって、前記第2のUL DMRSパターンに従って前記UEによって送信された前記第2のアップリンクサブフレームを受信するステップと、
前記基地局によって、前記第2のUL DMRSパターンに従って、前記第2のアップリンクサブフレーム内で搬送される前記UCIを獲得するステップと
を含む方法。
【請求項４３】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項42に記載の方法。
【請求項４４】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項42に記載の方法。
【請求項４５】
前記DCI指示は、物理ダウンリンク制御チャネルPDCCH上で搬送され、前記PDCCHのフォーマットは、アップリンクスケジューリングに使用されるDCIフォーマットである、請求項44に記載の方法。
【請求項４６】
アップリンクスケジューリングに使用される前記DCIフォーマットは、DCIフォーマット0またはDCIフォーマット4のうちの少なくとも1つを含む、請求項45に記載の方法。
【請求項４７】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項42に記載の方法。
【請求項４８】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項42に記載の方法。
【請求項４９】
第1のアップリンク復調参照信号UL DMRSパターンにおいて、アップリンクサブフレーム内の1つの直交周波数分割多重OFDMシンボル内のリソース要素REが、前記UL DMRSを搬送するのに使用される、ユーザ機器UEであって、
前記第1のUL DMRSパターンに従って前記アップリンクサブフレーム内のREにアップリンク制御情報UCIをマッピングするように構成された搬送ユニットであって、前記UCIを搬送する前記REが配置されるOFDMシンボルは、前記UL DMRSを搬送する前記REが配置される前記OFDMシンボルに隣接する、搬送ユニットと、
基地局に、前記UCIを搬送する、前記搬送ユニットによって入手された前記アップリンクサブフレームを送信するように構成された送信ユニットと
を含むUE。
【請求項５０】
前記UL DMRSは、前記アップリンクサブフレーム内の第4のOFDMシンボル内のRE上で搬送され、前記アップリンクサブフレームは、14個のOFDMシンボルを含む、請求項49に記載のUE。
【請求項５１】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項49または50に記載のUE。
【請求項５２】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項49から51のいずれか一項に記載のUE。
【請求項５３】
前記搬送ユニットは、前記第1のOFDMシンボル内の前記REに前記RIをマッピングし、前記第2のOFDMシンボル内の前記REに前記ACKおよび前記NACKのうちの前記少なくとも1つをマッピングし、第1のREに前記CQI、前記PMI、および前記PUSCH上の前記データのうちの少なくとも1つをマッピングするように特に構成され、前記第1のREは、UL DMRSを搬送せず、RIを搬送せず、ACKまたはNACKを搬送しないREである、請求項52に記載のUE。
【請求項５４】
前記搬送ユニットは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内および第7のシンボル内にある、RIを搬送しないREに、前記ACKおよび前記NACKのうちの前記少なくとも1つの、前記第1の部分を除く第2の部分第1の部分をマッピングするように特に構成される、請求項53に記載のUE。
【請求項５５】
前記搬送ユニットは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングするように特に構成される、請求項53に記載のUE。
【請求項５６】
前記搬送ユニットは、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングするように特に構成される、請求項53に記載のUE。
【請求項５７】
前記搬送ユニットは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするように特に構成される、請求項53に記載のUE。
【請求項５８】
前記搬送ユニットは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに、前記ACKおよび前記NACKのうちの前記少なくとも1つをマッピングするように特に構成される、請求項53に記載のUE。
【請求項５９】
前記搬送ユニットは、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするように特に構成される、請求項53に記載のUE。
【請求項６０】
前記搬送ユニットは、前記第1のOFDMシンボル内の前記REに前記RIをマッピングし、UL DMRSおよびRIのいずれをも搬送しないREに前記CQI、前記PMI、および前記PUSCH上の前記データのうちの少なくとも1つをマッピングし、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きするように特に構成される、請求項52に記載のUE。
【請求項６１】
前記搬送ユニットは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレームの前記第1のOFDMシンボル内および前記第7のシンボル内にあり、RIを搬送しない、REに、前記ACKおよび前記NACKのうちの前記少なくとも1つの、前記第1の部分を除く第2の部分をマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項60に記載のUE。
【請求項６２】
前記搬送ユニットは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項60に記載のUE。
【請求項６３】
前記搬送ユニットは、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングし、前記第1のOFDMシンボル内の前記RE、前記第2のOFDMシンボル内の前記RE、前記第3のOFDMシンボル内の前記RE、前記第5のOFDMシンボル内の前記RE、前記第6のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項60に記載のUE。
【請求項６４】
前記搬送ユニットは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項60に記載のUE。
【請求項６５】
前記搬送ユニットは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに前記ACKおよび前記NACKのうちの前記少なくとも1つをマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項60に記載のUE。
【請求項６６】
前記搬送ユニットは、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項60に記載のUE。
【請求項６７】
前記セット順序は、データがそれに従って前記アップリンクサブフレーム内の前記RE上で搬送される、前記アップリンクサブフレーム内の最後の搬送波から最初の搬送波へおよび各搬送波内の最初のOFDMシンボル内のREから最後のOFDMシンボル内のREへの順序であり、前記データは、前記UCIおよび前記UL DMRSのうちの少なくとも1つを含む、請求項54から59または61から66のいずれか一項に記載のUE。
【請求項６８】
前記送信ユニットは、指示情報を前記基地局に送信するようにさらに構成され、前記指示情報は、前記RIと前記ACKおよび前記NACKのうちの前記少なくとも1つとによって占められるREの、前記アップリンクサブフレームの時間-周波数リソース内の位置を示すのに使用される、請求項53から67のいずれか一項に記載のUE。
【請求項６９】
前記時間-周波数リソースは、リソースブロック、リソースブロック対、およびリソースブロックグループというリソースのうちの少なくとも1つを含む、請求項68に記載のUE。
【請求項７０】
第1のアップリンク復調参照信号UL DMRSパターンにおいて、アップリンクサブフレーム内の1つの直交周波数分割多重OFDMシンボル内のREが、前記UL DMRSを搬送するのに使用される、基地局であって、
ユーザ機器UEによって送信されたアップリンクサブフレームを受信するように構成された受信ユニットであって、前記アップリンクサブフレーム内のリソース要素REは、前記第1のアップリンク復調参照信号UL DMRSパターンに従ってアップリンク制御情報UCIを搬送し、前記UCIを搬送する前記REが配置されるOFDMシンボルは、前記UL DMRSを搬送する前記REが配置される前記OFDMシンボルに隣接する、受信ユニットと、
前記第1のUL DMRSパターンに従って、前記受信ユニットによって受信された前記アップリンクサブフレーム内で搬送される前記UCIを獲得するように構成された獲得ユニットと
を含む基地局。
【請求項７１】
前記UL DMRSは、前記アップリンクサブフレーム内の第4のOFDMシンボル内のRE上で搬送され、前記アップリンクサブフレームは、14個のOFDMシンボル内にREを含む、請求項70に記載の基地局。
【請求項７２】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項70または71に記載の基地局。
【請求項７３】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項70から72のいずれか一項に記載の基地局。
【請求項７４】
前記獲得ユニットは、前記第1のOFDMシンボル内の前記RE上で搬送される前記RIを獲得し、前記第2のOFDMシンボル内の前記RE上で搬送される前記ACKおよび前記NACKのうちの前記少なくとも1つを獲得し、第1のRE上で搬送される前記CQI、前記PMI、および前記PUSCH上の前記データのうちの少なくとも1つを獲得するように特に構成され、前記第1のREは、UL DMRSを搬送せず、RIを搬送せず、ACKまたはNACKを搬送しないREである、請求項73に記載の基地局。
【請求項７５】
前記獲得ユニットは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のREおよび前記アップリンクサブフレーム内の前記第7のOFDMシンボル内のRE上で搬送される前記ACKおよび前記NACKのうちの前記少なくとも1つの、前記第1の部分を除く第2の部分とを獲得するように特に構成される、請求項74に記載の基地局。
【請求項７６】
前記獲得ユニットは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第1のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第7のOFDMシンボル内のRE上で搬送される前記ACKおよび前記NACKのうちの前記少なくとも1つを獲得するように特に構成される、請求項74に記載の基地局。
【請求項７７】
前記第1のOFDMシンボル内の前記RE上で搬送される前記RIを獲得するように特に構成された前記獲得ユニットは、前記基地局が、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記RIを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記ACKおよび前記NACKのうちの前記少なくとも1つの、前記第1の部分を除く第2の部分とを獲得するを含む、請求項74に記載の基地局。
【請求項７８】
前記第1のOFDMシンボル内の前記RE上で搬送される前記RIを獲得するように特に構成された前記獲得ユニットは、前記基地局が、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第2のOFDMシンボル内のREおよび前記アップリンクサブフレーム内の前記第6のOFDMシンボル内のRE上で搬送される前記ACKおよび前記NACKのうちの前記少なくとも1つの、前記第1の部分を除く第2の部分とを獲得するを含む、請求項74に記載の基地局。
【請求項７９】
前記獲得ユニットは、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得し、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のRE上で搬送される前記ACKおよび前記NACKのうちの前記少なくとも1つを獲得するように特に構成される、請求項74に記載の基地局。
【請求項８０】
前記獲得ユニットは、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のRE上で搬送される前記RIを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内にある前記第2のOFDMシンボルおよび前記第6のOFDMシンボル内のRE上で搬送される前記ACKおよび前記NACKのうちの前記少なくとも1つの、前記第1の部分を除く第2の部分とを獲得するように特に構成される、請求項74に記載の基地局。
【請求項８１】
前記受信ユニットは、前記UEによって送信された指示情報を受信するようにさらに構成され、前記指示情報は、前記RIと前記ACKおよび前記NACKのうちの前記少なくとも1つとによって占められるREの、前記アップリンクサブフレームの時間-周波数リソース内の位置を示すのに使用され、
前記獲得ユニットは、前記受信ユニットによって受信された前記指示情報に従って、前記第1のOFDMシンボル内の前記RE上で搬送される前記RIを獲得し、前記受信ユニットによって受信された前記指示情報に従って、前記第2のOFDMシンボル内の前記RE上で搬送される前記ACKおよび前記NACKのうちの前記少なくとも1つを獲得するように特に構成される
請求項75から80のいずれか一項に記載の基地局。
【請求項８２】
前記時間-周波数リソースは、リソースブロック、リソースブロック対、およびリソースブロックグループというリソースのうちの少なくとも1つを含む、請求項81に記載の基地局。
【請求項８３】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される、ユーザ機器UEであって、
基地局によって送信されたトリガ情報を受信するように構成された受信ユニットであって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、受信ユニットと、
前記受信ユニットによって受信された前記トリガ情報に従い、前記第2のUL DMRSパターンに従って、アップリンク制御情報UCIを前記第2のアップリンクサブフレームにマッピングし、前記第2のアップリンクサブフレームを前記基地局に送信するように構成された送信ユニットと
を含むUE。
【請求項８４】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項83に記載のUE。
【請求項８５】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項83に記載のUE。
【請求項８６】
前記DCI指示は、物理ダウンリンク制御チャネルPDCCH上で搬送され、前記PDCCHのフォーマットは、アップリンクスケジューリングに使用されるDCIフォーマットである、請求項85に記載のUE。
【請求項８７】
アップリンクスケジューリングに使用される前記DCIフォーマットは、DCIフォーマット0またはDCIフォーマット4を含む、請求項86に記載のUE。
【請求項８８】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項83に記載のUE。
【請求項８９】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項83に記載のUE。
【請求項９０】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される、基地局であって、
ユーザ機器UEにトリガ情報を送信するように構成された送信ユニットであって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、送信ユニットと、
前記第2のUL DMRSパターンに従って前記UEによって送信された前記第2のアップリンクサブフレームを受信するように構成された受信ユニットと、
前記第2のUL DMRSパターンに従って、前記受信ユニットによって受信された前記第2のアップリンクサブフレーム内で搬送される前記UCIを獲得するように構成された獲得ユニットと
を含む基地局。
【請求項９１】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項90に記載の基地局。
【請求項９２】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項90に記載の基地局。
【請求項９３】
前記DCI指示は、物理ダウンリンク制御チャネルPDCCH上で搬送され、前記PDCCHのフォーマットは、アップリンクスケジューリングに使用されるDCIフォーマットである、請求項92に記載の基地局。
【請求項９４】
アップリンクスケジューリングに使用される前記DCIフォーマットは、DCIフォーマット0またはDCIフォーマット4のうちの少なくとも1つを含む、請求項93に記載の基地局。
【請求項９５】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項90に記載の基地局。
【請求項９６】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項90に記載の基地局。
【請求項９７】
第1のアップリンク復調参照信号UL DMRSパターンにおいて、アップリンクサブフレーム内の1つの直交周波数分割多重OFDMシンボル内のリソース要素REが、前記UL DMRSを搬送するのに使用される、ユーザ機器UEであって、
前記第1のUL DMRSパターンに従って前記アップリンクサブフレーム内のREにアップリンク制御情報UCIをマッピングするように構成されたプロセッサであって、前記UCIを搬送する前記REが配置されるOFDMシンボルは、前記UL DMRSを搬送する前記REが配置される前記OFDMシンボルに隣接する、プロセッサと、
基地局に、前記UCIを搬送する、前記プロセッサによって入手された前記アップリンクサブフレームを送信するように構成された送信器と
を含むUE。
【請求項９８】
前記UL DMRSは、前記アップリンクサブフレーム内の第4のOFDMシンボル内のRE上で搬送され、前記アップリンクサブフレームは、14個のOFDMシンボルを含む、請求項97に記載のUE。
【請求項９９】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項97または98に記載のUE。
【請求項１００】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項97から99のいずれか一項に記載のUE。
【請求項１０１】
前記プロセッサは、前記第1のOFDMシンボル内の前記REに前記RIをマッピングし、前記第2のOFDMシンボル内の前記REに前記ACKおよび前記NACKのうちの前記少なくとも1つをマッピングし、第1のREに前記CQI、前記PMI、および前記PUSCH上の前記データのうちの少なくとも1つをマッピングするように特に構成され、前記第1のREは、UL DMRSを搬送せず、RIを搬送せず、ACKまたはNACKを搬送しないREである、請求項100に記載のUE。
【請求項１０２】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内および第7のシンボル内にある、RIを搬送しないREに、前記ACKおよび前記NACKのうちの前記少なくとも1つの、前記第1の部分を除く第2の部分をマッピングするように特に構成される、請求項101に記載のUE。
【請求項１０３】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングするように特に構成される、請求項101に記載のUE。
【請求項１０４】
前記プロセッサは、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングするように特に構成される、請求項101に記載のUE。
【請求項１０５】
前記プロセッサは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするように特に構成される、請求項101に記載のUE。
【請求項１０６】
前記プロセッサは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに、前記ACKおよび前記NACKのうちの前記少なくとも1つをマッピングするように特に構成される、請求項101に記載のUE。
【請求項１０７】
前記プロセッサは、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングするように特に構成される、請求項101に記載のUE。
【請求項１０８】
前記プロセッサは、前記第1のOFDMシンボル内の前記REに前記RIをマッピングし、UL DMRSおよびRIのいずれをも搬送しないREに前記CQI、前記PMI、および前記PUSCH上の前記データのうちの少なくとも1つをマッピングし、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きするように特に構成される、請求項100に記載のUE。
【請求項１０９】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレームの前記第1のOFDMシンボル内および前記第7のシンボル内にあり、RIを搬送しない、REに、前記ACKおよび前記NACKのうちの前記少なくとも1つの、前記第1の部分を除く第2の部分をマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項108に記載のUE。
【請求項１１０】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項108に記載のUE。
【請求項１１１】
前記プロセッサは、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングし、前記第1のOFDMシンボル内の前記RE、前記第2のOFDMシンボル内の前記RE、前記第3のOFDMシンボル内の前記RE、前記第5のOFDMシンボル内の前記RE、前記第6のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項108に記載のUE。
【請求項１１２】
前記プロセッサは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項108に記載のUE。
【請求項１１３】
前記プロセッサは、セット順序に従って、前記アップリンクサブフレーム内の前記第1のOFDMシンボル内のREおよび前記アップリンクサブフレーム内の前記第7のOFDMシンボル内のREに前記RIの第1の部分をまずマッピングし、その後、前記アップリンクサブフレーム内の前記第8のOFDMシンボル内のREおよび前記アップリンクサブフレーム内の前記第9のOFDMシンボル内のREに、前記RIの、前記第1の部分を除く第2の部分をマッピングし、前記セット順序に従って、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のREに前記ACKおよび前記NACKのうちの前記少なくとも1つをマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項108に記載のUE。
【請求項１１４】
前記プロセッサは、セット順序に従って、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第2のOFDMシンボル内のREおよび前記アップリンクサブフレーム内の前記第6のOFDMシンボル内のREに、前記ACKおよび前記NACKのうちの前記少なくとも1つの、前記第1の部分を除く第2の部分をマッピングし、前記第2のOFDMシンボル内の前記RE、前記第3のOFDMシンボル内の前記RE、前記第5のOFDMシンボル内の前記RE、および前記第6のOFDMシンボル内の前記RE上で搬送される前記CQI、前記PMI、および前記PUSCH上の前記データのうちの前記少なくとも1つを上書きするように特に構成される、請求項108に記載のUE。
【請求項１１５】
前記セット順序は、データがそれに従って前記アップリンクサブフレーム内の前記RE上で搬送される、前記アップリンクサブフレーム内の最後の搬送波から最初の搬送波へおよび各搬送波内の最初のOFDMシンボル内のREから最後のOFDMシンボル内のREへの順序であり、前記データは、前記UCIおよび前記UL DMRSのうちの少なくとも1つを含む、請求項102から107または109から114のいずれか一項に記載のUE。
【請求項１１６】
前記送信器は、指示情報を前記基地局に送信するようにさらに構成され、前記指示情報は、前記RIと前記ACKおよび前記NACKのうちの前記少なくとも1つとによって占められるREの、前記アップリンクサブフレームの時間-周波数リソース内の位置を示すのに使用される、請求項101から115のいずれか一項に記載のUE。
【請求項１１７】
前記時間-周波数リソースは、リソースブロック、リソースブロック対、およびリソースブロックグループというリソースのうちの少なくとも1つを含む、請求項116に記載のUE。
【請求項１１８】
第1のアップリンク復調参照信号UL DMRSパターンにおいて、アップリンクサブフレーム内の1つの直交周波数分割多重OFDMシンボル内のREが、前記UL DMRSを搬送するのに使用される、基地局であって、
ユーザ機器UEによって送信されたアップリンクサブフレームを受信するように構成された受信器であって、前記アップリンクサブフレーム内のリソース要素REは、前記第1のアップリンク復調参照信号UL DMRSパターンに従ってアップリンク制御情報UCIを搬送し、前記UCIを搬送する前記REが配置されるOFDMシンボルは、前記UL DMRSを搬送する前記REが配置される前記OFDMシンボルに隣接する、受信器と、
前記第1のUL DMRSパターンに従って、前記受信器によって受信された前記アップリンクサブフレーム内で搬送される前記UCIを獲得するように構成されたプロセッサと
を含む基地局。
【請求項１１９】
前記UL DMRSは、前記アップリンクサブフレーム内の第4のOFDMシンボル内のRE上で搬送され、前記アップリンクサブフレームは、14個のOFDMシンボル内にREを含む、請求項118に記載の基地局。
【請求項１２０】
前記アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する、請求項118または119に記載の基地局。
【請求項１２１】
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される
請求項118から120のいずれか一項に記載の基地局。
【請求項１２２】
前記プロセッサは、前記第1のOFDMシンボル内の前記RE上で搬送される前記RIを獲得し、前記第2のOFDMシンボル内の前記RE上で搬送される前記ACKおよび前記NACKのうちの前記少なくとも1つを獲得し、第1のRE上で搬送される前記CQI、前記PMI、および前記PUSCH上の前記データのうちの少なくとも1つを獲得するように特に構成され、前記第1のREは、UL DMRSを搬送せず、RIを搬送せず、ACKまたはNACKを搬送しないREである、請求項121に記載の基地局。
【請求項１２３】
前記プロセッサは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のREおよび前記アップリンクサブフレーム内の前記第7のOFDMシンボル内のRE上で搬送される前記ACKおよび前記NACKのうちの前記少なくとも1つの、前記第1の部分を除く第2の部分とを獲得するように特に構成される、請求項122に記載の基地局。
【請求項１２４】
前記プロセッサは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第1のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第7のOFDMシンボル内のRE上で搬送される前記ACKおよび前記NACKのうちの前記少なくとも1つを獲得するように特に構成される、請求項122に記載の基地局。
【請求項１２５】
前記プロセッサは、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記RIを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記ACKおよび前記NACKのうちの前記少なくとも1つの、前記第1の部分を除く第2の部分とを獲得するように特に構成される、請求項122に記載の基地局。
【請求項１２６】
前記プロセッサは、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第2のOFDMシンボル内のREおよび前記アップリンクサブフレーム内の前記第6のOFDMシンボル内のRE上で搬送される前記ACKおよび前記NACKのうちの前記少なくとも1つの、前記第1の部分を除く第2の部分とを獲得するように特に構成される、請求項122に記載の基地局。
【請求項１２７】
前記プロセッサは、前記アップリンクサブフレーム内の前記第1のOFDMシンボル内のREおよび前記アップリンクサブフレーム内の前記第7のOFDMシンボル内のRE上で搬送される前記RIの第1の部分と、前記アップリンクサブフレーム内の前記第8のOFDMシンボル内のREおよび前記アップリンクサブフレーム内の前記第9のOFDMシンボル内のRE上で搬送される前記RIの、前記第1の部分を除く第2の部分とを獲得し、前記アップリンクサブフレーム内の前記第2のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第6のOFDMシンボル内のRE上で搬送される前記ACKおよび前記NACKのうちの前記少なくとも1つを獲得するように特に構成される、請求項122に記載の基地局。
【請求項１２８】
前記プロセッサは、前記アップリンクサブフレーム内の前記第1のOFDMシンボル内のRE、前記アップリンクサブフレーム内の前記第7のOFDMシンボル内のRE、前記アップリンクサブフレーム内の前記第8のOFDMシンボル内のRE、および前記アップリンクサブフレーム内の前記第9のOFDMシンボル内のRE上で搬送される前記RIを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内にある前記第2のOFDMシンボルおよび前記第6のOFDMシンボル内のRE上で搬送される前記ACKおよび前記NACKのうちの前記少なくとも1つの、前記第1の部分を除く第2の部分とを獲得するように特に構成される、請求項122に記載の基地局。
【請求項１２９】
前記受信器は、前記UEによって送信された指示情報を受信するようにさらに構成され、前記指示情報は、前記RIと前記ACKおよび前記NACKのうちの前記少なくとも1つとによって占められるREの、前記アップリンクサブフレームの時間-周波数リソース内の位置を示すのに使用され、
前記プロセッサは、前記受信器によって受信された前記指示情報に従って、前記第1のOFDMシンボル内の前記RE上で搬送される前記RIを獲得し、前記受信器によって受信された前記指示情報に従って、前記第2のOFDMシンボル内の前記RE上で搬送される前記ACKおよび前記NACKのうちの前記少なくとも1つを獲得するように特に構成される
請求項123から128のいずれか一項に記載の基地局。
【請求項１３０】
前記時間-周波数リソースは、リソースブロック、リソースブロック対、およびリソースブロックグループというリソースのうちの少なくとも1つを含む、請求項129に記載の基地局。
【請求項１３１】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のアップリンクUL DMRSパターンにおいて、第2のアップリンクサブフレーム内の2つのOFDMシンボル内のすべてのREが、UL DMRSを搬送するのに使用される、ユーザ機器UEであって、
基地局によって送信されたトリガ情報を受信するように構成された受信器であって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、受信器と、
前記受信器によって受信された前記トリガ情報に従い、前記第2のUL DMRSパターンに従って、アップリンク制御情報UCIを前記第2のアップリンクサブフレームにマッピングし、前記第2のアップリンクサブフレームを前記基地局に送信するように構成された送信器と
を含むUE。
【請求項１３２】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項131に記載のUE。
【請求項１３３】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項131に記載のUE。
【請求項１３４】
前記DCI指示は、物理ダウンリンク制御チャネルPDCCH上で搬送され、前記PDCCHのフォーマットは、アップリンクスケジューリングに使用されるDCIフォーマットである、請求項133に記載のUE。
【請求項１３５】
アップリンクスケジューリングに使用される前記DCIフォーマットは、DCIフォーマット0またはDCIフォーマット4を含む、請求項134に記載のUE。
【請求項１３６】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項131に記載のUE。
【請求項１３７】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項131に記載のUE。
【請求項１３８】
第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される、基地局であって、
ユーザ機器UEにトリガ情報を送信するように構成された送信器であって、前記トリガ情報は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、送信器と、
前記第2のUL DMRSパターンに従って前記UEによって送信された前記第2のアップリンクサブフレームを受信するように構成された受信器と、
前記第2のUL DMRSパターンに従って、前記受信器によって受信された前記第2のアップリンクサブフレーム内で搬送される前記UCIを獲得するように構成されたプロセッサと
を含む基地局。
【請求項１３９】
前記トリガ情報は、ダウンリンク制御情報DCIであり、
前記DCIは、1ビットインジケータを含み、前記1ビットインジケータは、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される
請求項138に記載の基地局。
【請求項１４０】
前記トリガ情報は、前記アップリンクサブフレームに対応するDCI指示であり、前記DCI指示内のチャネル状態情報要求CSI要求は、前記第1のUL DMRSパターンに従って前記第1のアップリンクサブフレームを送信することから前記第2のUL DMRSパターンに従って前記第2のアップリンクサブフレームを送信することに切り替えるように前記UEをトリガするのに使用される、請求項138に記載の基地局。
【請求項１４１】
前記DCI指示は、物理ダウンリンク制御チャネルPDCCH上で搬送され、前記PDCCHのフォーマットは、アップリンクスケジューリングに使用されるDCIフォーマットである、請求項140に記載の基地局。
【請求項１４２】
アップリンクスケジューリングに使用される前記DCIフォーマットは、DCIフォーマット0またはDCIフォーマット4のうちの少なくとも1つを含む、請求項141に記載の基地局。
【請求項１４３】
前記第1のアップリンクサブフレームは、物理アップリンク制御チャネルPUCCHを搬送するサブフレームであり、前記PUCCHおよび物理アップリンク共有チャネルPUSCHは、前記第1のアップリンクサブフレーム内で同時には送信され得ず、
前記トリガ情報は、前記第1のアップリンクサブフレーム内で前記PUSCHのスケジューリング情報を送信するように前記UEに指示するのにさらに使用される
請求項138に記載の基地局。
【請求項１４４】
前記第2のアップリンクサブフレームは、物理アップリンク制御チャネルPUCCHを搬送するサブフレームであり、前記PUCCHおよび物理アップリンク共有チャネルPUSCHは、前記第2のアップリンクサブフレーム内で同時には送信され得ず、
前記トリガ情報は、前記第2のアップリンクサブフレーム内で前記PUSCHのスケジューリング情報を送信するように前記UEに指示するのにさらに使用される
請求項138に記載の基地局。
【発明の詳細な説明】
【技術分野】
【０００１】
本発明は、通信技術の分野に関し、具体的には、アップリンク制御情報送信方法、ユーザ機器、および基地局に関する。
【背景技術】
【０００２】
無線通信システムにおいて、基地局は、ユーザ機器(User Equipment、略してUE)によって送信されたアップリンク(Uplink、略してUL)復調参照信号(demodulation reference signal、略してDMRS)を使用することによってアップリンクチャネル推定および復調を実行し、UL DMRSは、アップリンクタイミング、信号対雑音比推定、チャネル測定、および類似物を支援するのにも使用され得る。UEは、物理アップリンク共有チャネル(Physical Uplink Shared Channel、略してPUSCH)およびUL DMRSを基地局に送信し、ここで、PUSCHは、アップリンクデータを搬送するのに使用される。UEは、アップリンク制御情報(Uplink Control Information、略してUCI)をさらに送信することができ、ここで、UCIは、チャネル品質インジケータ(Channel Quality Indicator、略してCQI)/プリコーディング行列インジケータ(Precoding Matrix Indicator、略してPMI)、ランク表示(Rank Indicator、略してRI)、および肯定応答(Acknowledgement、略してACK)または否定応答(Negative Acknowledgement、略してNACK)を含む。
【０００３】
現在、スモールセル関連技術が、従来技術に現れている。スモールセルのカバレージが相対的に狭く、UEの移動速度が遅いので、スモールセル内のUEのチャネル品質とチャネル時間-周波数領域との間に相対的によい相関がある。したがって、UEは、通常、スモールセル内の基地局に送信されるアップリンクサブフレームの第4のシンボルすなわちシンボル3を介してのみUL DMRSを送信し、第3、第5、第10、および第12のシンボルすなわちシンボル2、4、9、および11を介してACKおよびNACKのうちの少なくとも1つを送信し、第2、第6、第8、および第11のシンボルすなわちシンボル1、5、7、および10を介してRIを送信し、それを介してUL DMRSが最初にアップリンクサブフレーム内で送信される第11のシンボルすなわちシンボル10を介してデータを送信し、その結果、より多くのリソースが、データを送信するのに使用され、これによって、リソース利用およびスペクトル効率を改善する。
【０００４】
しかし、従来技術では、スモールセル内の基地局による、アップリンクサブフレーム内のACKまたはNACKのうちの少なくとも1つとRIとに関する復調の性能が、劣化する可能性があり、これによって、データ送信レートおよびネットワークスループットが低下する。
【発明の概要】
【課題を解決するための手段】
【０００５】
本発明の実施形態は、基地局によるUCI復調の性能を改善し、これによってデータ送信レートおよびネットワークスループットを改善するために、アップリンクサブフレーム内のUL DMRSの位置に隣接する位置にUCIをマッピングするのに使用される、アップリンク制御情報送信方法、ユーザ機器、および基地局を提供する。
【０００６】
第1の態様によれば、本発明の実施形態は、アップリンク制御情報送信方法を提供する。第1のアップリンク復調参照信号UL DMRSパターンにおいて、アップリンクサブフレーム内の1つの直交周波数分割多重OFDMシンボル内のリソース要素REが、UL DMRSを搬送するのに使用され、この方法は、ユーザ機器UEによって、第1のUL DMRSパターンに従ってアップリンクサブフレーム内のREにアップリンク制御情報UCIをマッピングするステップであって、UCIを搬送するREが配置されるOFDMシンボルは、UL DMRSを搬送するREが配置されるOFDMシンボルに隣接する、マッピングするステップと、UEによって、基地局に、UCIを搬送するアップリンクサブフレームを送信するステップとを含む。
【０００７】
第1の態様の第1の可能な実施の形において、UL DMRSは、アップリンクサブフレーム内の第4のOFDMシンボル内のRE上で搬送され、アップリンクサブフレームは、14個のOFDMシンボルを含む。
【０００８】
第1の態様または第1の態様の第1の可能な実施の形に関連して、第1の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０００９】
第1の態様、第1の態様の第1の可能な実施の形、または第1の態様の第2の可能な実施の形に関連して、第1の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【００１０】
第1の態様の第3の可能な実施の形に関連して、第1の態様の第4の可能な実施の形において、ユーザ機器UEによって、第1のアップリンク復調参照信号UL DMRSパターンに従ってアップリンクサブフレーム内のリソース要素REにアップリンク制御情報UCIをマッピングするステップは、UEによって、第1のOFDMシンボル内のREにRIをマッピングするステップと、UEによって、第2のOFDMシンボル内のREにACKおよびNACKのうちの少なくとも1つをマッピングするステップと、UEによって、第1のREにCQI、PMI、およびPUSCH上のデータのうちの少なくとも1つをマッピングするステップであって、第1のREは、UL DMRSを搬送せず、RIを搬送せず、ACKまたはNACKを搬送しないREである、マッピングするステップとを含む。
【００１１】
第1の態様の第4の可能な実施の形に関連して、第1の態様の第5の可能な実施の形において、UEによって、第1のOFDMシンボル内のREにRIをマッピングするステップは、セット順序(set order)に従って、UEによって、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングするステップを含み、UEによって、第2のOFDMシンボル内のREにACKおよびNACKのうちの少なくとも1つをマッピングするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内にあり、RIを搬送しない、第1のOFDMシンボル内および第7のシンボル内のREに、ACKおよびNACKのうちの少なくとも1つの、第1の部分を除く第2の部分第1の部分をマッピングするステップを含む。
【００１２】
第1の態様の第4の可能な実施の形に関連して、第1の態様の第6の可能な実施の形において、UEによって、第1のOFDMシンボル内のREにRIをマッピングするステップは、UEによって、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングするステップを含み、UEによって、第2のOFDMシンボル内のREにACKおよびNACKのうちの少なくとも1つをマッピングするステップは、UEによって、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングするステップを含む。
【００１３】
第1の態様の第4の可能な実施の形に関連して、第1の態様の第7の可能な実施の形において、UEによって、第1のOFDMシンボル内のREにRIをマッピングするステップは、UEによって、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングするステップを含み、UEによって、第2のOFDMシンボル内のREにACKおよびNACKのうちの少なくとも1つをマッピングするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングするステップを含む。
【００１４】
第1の態様の第4の可能な実施の形に関連して、第1の態様の第8の可能な実施の形において、UEによって、第1のOFDMシンボル内のREにRIをマッピングするステップは、UEによって、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングするステップを含み、UEによって、第2のOFDMシンボル内のREにACKおよびNACKのうちの少なくとも1つをマッピングするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするステップを含む。
【００１５】
第1の態様の第4の可能な実施の形に関連して、第1の態様の第9の可能な実施の形において、UEによって、第1のOFDMシンボル内のREにRIをマッピングするステップは、UEによって、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングするステップを含み、UEによって、第2のOFDMシンボル内のREにACKおよびNACKのうちの少なくとも1つをマッピングするステップは、UEによって、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREに、ACKおよびNACKのうちの少なくとも1つをマッピングするステップを含む。
【００１６】
第1の態様の第4の可能な実施の形に関連して、第1の態様の第10の可能な実施の形において、UEによって、第1のOFDMシンボル内のREにRIをマッピングするステップは、UEによって、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングするステップを含み、UEによって、第2のOFDMシンボル内のREにACKおよびNACKのうちの少なくとも1つをマッピングするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするステップを含む。
【００１７】
第1の態様の第3の可能な実施の形に関連して、第1の態様の第11の可能な実施の形において、ユーザ機器UEによって、第1のアップリンク復調参照信号UL DMRSパターンに従ってアップリンクサブフレーム内のリソース要素REにアップリンク制御情報UCIをマッピングするステップは、UEによって、第1のOFDMシンボル内のREにRIをマッピングするステップと、UEによって、UL DMRSおよびRIのいずれをも搬送しないREにCQI、PMI、およびPUSCH上のデータのうちの少なくとも1つをマッピングするステップと、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップとを含む。
【００１８】
第1の態様の第11の可能な実施の形に関連して、第1の態様の第12の可能な実施の形において、UEによって、第1のOFDMシンボル内のREにRIをマッピングするステップは、UEによって、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内にあり、RIを搬送しない、第1のOFDMシンボルおよび第7のシンボル内のREに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするステップを含む。
【００１９】
第1の態様の第11の可能な実施の形に関連して、第1の態様の第13の可能な実施の形において、UEによって、第1のOFDMシンボル内のREにRIをマッピングするステップは、UEによって、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするステップを含む。
【００２０】
第1の態様の第11の可能な実施の形に関連して、第1の態様の第14の可能な実施の形において、UEによって、第1のOFDMシンボル内のREにRIをマッピングするステップは、UEによって、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きするステップを含む。
【００２１】
第1の態様の第11の可能な実施の形に関連して、第1の態様の第15の可能な実施の形において、UEによって、第1のOFDMシンボル内のREにRIをマッピングするステップは、UEによって、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするステップを含む。
【００２２】
第1の態様の第11の可能な実施の形に関連して、第1の態様の第16の可能な実施の形において、UEによって、第1のOFDMシンボル内のREにRIをマッピングするステップは、UEによって、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするステップを含む。
【００２３】
第1の態様の第11の可能な実施の形に関連して、第1の態様の第17の可能な実施の形において、UEによって、第1のOFDMシンボル内のREにRIをマッピングするステップは、UEによって、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングするステップを含み、UEによって、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするステップは、UEによって、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするステップを含む。
【００２４】
第1の態様の第5から第10の実施の形の任意の可能な実施の形または第1の態様の第12から第17の実施の形の任意の可能な実施の形に関連して、第1の態様の第18の可能な実施の形において、セット順序は、データがそれに従ってアップリンクサブフレーム内のRE上で搬送される、アップリンクサブフレーム内の最後の搬送波から最初の搬送波へおよび各搬送波内の最初のOFDMシンボル内のREから最後のOFDMシンボル内のREへの順序であり、データは、UCIおよびUL DMRSのうちの少なくとも1つを含む。
【００２５】
第1の態様の第4から第18の実施の形の任意の可能な実施の形に関連して、第1の態様の第19の可能な実施の形において、この方法は、UEによって、指示情報を基地局に送信するステップであって、指示情報は、RIとACKおよびNACKのうちの少なくとも1つとによって占められるREの、アップリンクサブフレームの時間-周波数リソース内の位置を示すのに使用される、送信するステップをさらに含む。
【００２６】
第1の態様の第19の可能な実施の形に関連して、第1の態様の第20の可能な実施の形において、時間-周波数リソースは、リソースブロック、リソースブロック対、およびリソースブロックグループというリソースのうちの少なくとも1つを含む。
【００２７】
第2の態様によれば、本発明の実施形態は、アップリンク制御情報送信方法をさらに提供する。第1のアップリンク復調参照信号UL DMRSパターンにおいて、アップリンクサブフレーム内の1つの直交周波数分割多重OFDMシンボル内のREが、UL DMRSを搬送するのに使用され、この方法は、基地局によって、ユーザ機器UEによって送信されたアップリンクサブフレームを受信するステップであって、アップリンクサブフレーム内のリソース要素REは、第1のアップリンク復調参照信号UL DMRSパターンに従ってアップリンク制御情報UCIを搬送し、UCIを搬送するREが配置されるOFDMシンボルは、UL DMRSを搬送するREが配置されるOFDMシンボルに隣接する、受信するステップと、基地局によって、第1のUL DMRSパターンに従って、アップリンクサブフレーム内で搬送されるUCIを獲得するステップとを含む。
【００２８】
第2の態様の第1の可能な実施の形において、UL DMRSは、アップリンクサブフレーム内の第4のOFDMシンボル内のRE上で搬送され、アップリンクサブフレームは、14個のOFDMシンボル内にREを含む。
【００２９】
第2の態様または第2の態様の第1の可能な実施の形に関連して、第2の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【００３０】
第2の態様、第2の態様の第1の可能な実施の形、または第2の態様の第2の可能な実施の形に関連して、第1の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【００３１】
第2の態様の第3の可能な実施の形に関連して、第2の態様の第4の可能な実施の形において、基地局によって、第1のUL DMRSパターンに従って、アップリンクサブフレーム内で搬送されるUCIを獲得するステップは、基地局によって、第1のOFDMシンボル内のRE上で搬送されるRIを獲得するステップと、基地局によって、第2のOFDMシンボル内のRE上で搬送されるACKおよびNACKのうちの少なくとも1つを獲得するステップと、基地局によって、第1のRE上で搬送されるCQI、PMI、およびPUSCH上のデータのうちの少なくとも1つを獲得するステップであって、第1のREは、UL DMRSを搬送せず、RIを搬送せず、ACKまたはNACKを搬送しないREである、獲得するステップとを含む。
【００３２】
第2の態様の第4の可能な実施の形に関連して、第2の態様の第5の可能な実施の形において、基地局によって、第1のOFDMシンボル内のRE上で搬送されるRIを獲得するステップは、基地局によって、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得するステップを含み、基地局によって、第2のOFDMシンボル内のRE上で搬送されるACKおよびNACKのうちの少なくとも1つを獲得するステップは、基地局によって、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得するステップを含む。
【００３３】
第2の態様の第4の可能な実施の形に関連して、第2の態様の第6の可能な実施の形において、基地局によって、第1のOFDMシンボル内のRE上で搬送されるRIを獲得するステップは、基地局によって、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得するステップを含み、基地局によって、第2のOFDMシンボル内のRE上で搬送されるACKおよびNACKのうちの少なくとも1つを獲得するステップは、基地局によって、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得するステップを含む。
【００３４】
第2の態様の第4の可能な実施の形に関連して、第2の態様の第7の可能な実施の形において、基地局によって、第1のOFDMシンボル内のRE上で搬送されるRIを獲得するステップは、基地局によって、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得するステップを含み、基地局によって、第2のOFDMシンボル内のRE上で搬送されるACKおよびNACKのうちの少なくとも1つを獲得するステップは、基地局によって、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得するステップを含む。
【００３５】
第2の態様の第4の可能な実施の形に関連して、第2の態様の第8の可能な実施の形において、基地局によって、第1のOFDMシンボル内のRE上で搬送されるRIを獲得するステップは、基地局によって、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得するステップを含み、基地局によって、第2のOFDMシンボル内のRE上で搬送されるACKおよびNACKのうちの少なくとも1つを獲得するステップは、基地局によって、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得するステップを含む。
【００３６】
第2の態様の第4の可能な実施の形に関連して、第2の態様の第9の可能な実施の形において、基地局によって、第1のOFDMシンボル内のRE上で搬送されるRIを獲得するステップは、基地局によって、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得するステップを含み、基地局によって、第2のOFDMシンボル内のRE上で搬送されるACKおよびNACKのうちの少なくとも1つを獲得するステップは、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得するステップを含む。
【００３７】
第2の態様の第4の可能な実施の形に関連して、第2の態様の第10の可能な実施の形において、基地局によって、第1のOFDMシンボル内のRE上で搬送されるRIを獲得するステップは、基地局によって、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得するステップを含み、基地局によって、第2のOFDMシンボル内のRE上で搬送されるACKおよびNACKのうちの少なくとも1つを獲得するステップは、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内にある第2のOFDMシンボルおよび第6のOFDMシンボル内のRE上で搬送されるACKおよびNACKのうちの少なくとも1つの、第1の部分を除く第2の部分とを獲得するステップを含む。
【００３８】
第2の態様の第5から第10の実施の形の任意の可能な実施の形に関連して、第2の態様の第11の可能な実施の形において、この方法は、基地局によって、UEによって送信された指示情報を受信するステップであって、指示情報は、RIとACKおよびNACKのうちの少なくとも1つとによって占められるREの、アップリンクサブフレームの時間-周波数リソース内の位置を示すのに使用される、受信するステップをさらに含み、基地局によって、第1のOFDMシンボル内のRE上で搬送されるRIを獲得するステップは、基地局によって、指示情報に従って、第1のOFDMシンボル内のRE上で搬送されるRIを獲得するステップを含み、基地局によって、第2のOFDMシンボル内のRE上で搬送されるACKおよびNACKのうちの少なくとも1つを獲得するステップは、基地局によって、指示情報に従って、第2のOFDMシンボル内のRE上で搬送されるACKおよびNACKのうちの少なくとも1つを獲得するステップを含む。
【００３９】
第2の態様の第11の可能な実施の形に関連して、第2の態様の第12の可能な実施の形において、時間-周波数リソースは、リソースブロック、リソースブロック対、およびリソースブロックグループというリソースのうちの少なくとも1つを含む。
【００４０】
第3の態様によれば、本発明の実施形態は、アップリンク制御情報送信方法をさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用され、この方法は、ユーザ機器UEによって、基地局によって送信されたトリガ情報を受信するステップであって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、受信するステップと、トリガ情報に従い、第2のUL DMRSパターンに従って、ユーザ機器UEによって、アップリンク制御情報UCIを第2のアップリンクサブフレームにマッピングし、第2のアップリンクサブフレームを基地局に送信するステップとを含む。
【００４１】
第3の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００４２】
第3の態様の第2の可能な実施の形において、トリガ情報は、アップリンクサブフレームに対応するDCI指示(DCI indication)であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００４３】
第3の態様の第2の可能な実施の形に関連して、第3の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【００４４】
第3の態様の第3の可能な実施の形に関連して、第3の態様の第4の可能な実施の形において、アップリンクスケジューリングに使用されるDCIフォーマットは、DCIフォーマット0またはDCIフォーマット4を含む。
【００４５】
第3の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【００４６】
第3の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【００４７】
第4の態様によれば、本発明の実施形態は、アップリンク制御情報送信方法をさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用され、この方法は、基地局によって、ユーザ機器UEにトリガ情報を送信するステップであって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、送信するステップと、基地局によって、第2のUL DMRSパターンに従ってUEによって送信された第2のアップリンクサブフレームを受信するステップと、基地局によって、第2のUL DMRSパターンに従って、第2のアップリンクサブフレーム内で搬送されるUCIを獲得するステップとを含む。
【００４８】
第4の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００４９】
第4の態様の第2の可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００５０】
第4の態様の第2の可能な実施の形に関連して、第4の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【００５１】
第4の態様の第3の可能な実施の形に関連して、第4の態様の第4の可能な実施の形において、アップリンクスケジューリングに使用されるDCIフォーマットは、DCIフォーマット0またはDCIフォーマット4のうちの少なくとも1つを含む。
【００５２】
第4の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【００５３】
第4の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【００５４】
第5の態様によれば、本発明の実施形態は、ユーザ機器UEを提供する。第1のアップリンク復調参照信号UL DMRSパターンにおいて、アップリンクサブフレーム内の1つの直交周波数分割多重OFDMシンボル内のリソース要素REが、UL DMRSを搬送するのに使用され、このUEは、第1のUL DMRSパターンに従ってアップリンクサブフレーム内のREにアップリンク制御情報UCIをマッピングするように構成された搬送ユニットであって、UCIを搬送するREが配置されるOFDMシンボルは、UL DMRSを搬送するREが配置されるOFDMシンボルに隣接する、搬送ユニットと、基地局に、UCIを搬送する、搬送ユニットによって入手されたアップリンクサブフレームを送信するように構成された送信ユニットとを含む。
【００５５】
第5の態様の第1の可能な実施の形において、UL DMRSは、アップリンクサブフレーム内の第4のOFDMシンボル内のRE上で搬送され、アップリンクサブフレームは、14個のOFDMシンボルを含む。
【００５６】
第5の態様または第5の態様の第1の可能な実施の形に関連して、第5の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【００５７】
第5の態様、第5の態様の第1の可能な実施の形、または第5の態様の第2の可能な実施の形に関連して、第5の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【００５８】
第5の態様の第3の可能な実施の形に関連して、第5の態様の第4の可能な実施の形において、搬送ユニットは、第1のOFDMシンボル内のREにRIをマッピングし、第2のOFDMシンボル内のREにACKおよびNACKのうちの少なくとも1つをマッピングし、第1のREにCQI、PMI、およびPUSCH上のデータのうちの少なくとも1つをマッピングするように特に構成され、第1のREは、UL DMRSを搬送せず、RIを搬送せず、ACKまたはNACKを搬送しないREである。
【００５９】
第5の態様の第4の可能な実施の形に関連して、第5の態様の第5の可能な実施の形において、搬送ユニットは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内および第7のシンボル内にある、RIを搬送しないREに、ACKおよびNACKのうちの少なくとも1つの、第1の部分を除く第2の部分をマッピングするように特に構成される。
【００６０】
第5の態様の第4の可能な実施の形に関連して、第5の態様の第6の可能な実施の形において、搬送ユニットは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングするように特に構成される。
【００６１】
第5の態様の第4の可能な実施の形に関連して、第5の態様の第7の可能な実施の形において、搬送ユニットは、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングするように特に構成される。
【００６２】
第5の態様の第4の可能な実施の形に関連して、第5の態様の第8の可能な実施の形において、搬送ユニットは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【００６３】
第5の態様の第4の可能な実施の形に関連して、第5の態様の第9の可能な実施の形において、搬送ユニットは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREに、ACKおよびNACKのうちの少なくとも1つをマッピングするように特に構成される。
【００６４】
第5の態様の第4の可能な実施の形に関連して、第5の態様の第10の可能な実施の形において、搬送ユニットは、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【００６５】
第5の態様の第3の可能な実施の形に関連して、第5の態様の第11の可能な実施の形において、搬送ユニットは、第1のOFDMシンボル内のREにRIをマッピングし、UL DMRSおよびRIのいずれをも搬送しないREにCQI、PMI、およびPUSCH上のデータのうちの少なくとも1つをマッピングし、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするように特に構成される。
【００６６】
第5の態様の第11の可能な実施の形に関連して、第5の態様の第12の可能な実施の形において、搬送ユニットは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレームの第1のOFDMシンボル内および第7のシンボル内にあり、RIを搬送しない、REに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【００６７】
第5の態様の第11の可能な実施の形に関連して、第5の態様の第13の可能な実施の形において、搬送ユニットは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【００６８】
第5の態様の第11の可能な実施の形に関連して、第5の態様の第14の可能な実施の形において、搬送ユニットは、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きするように特に構成される。
【００６９】
第5の態様の第11の可能な実施の形に関連して、第5の態様の第15の可能な実施の形において、搬送ユニットは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【００７０】
第5の態様の第11の可能な実施の形に関連して、第5の態様の第16の可能な実施の形において、搬送ユニットは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【００７１】
第5の態様の第11の可能な実施の形に関連して、第5の態様の第17の可能な実施の形において、搬送ユニットは、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【００７２】
第5の態様の第5から第10の実施の形の任意の可能な実施の形または第5の態様の第12から第17の実施の形の任意の可能な実施の形に関連して、第5の態様の第18の可能な実施の形において、セット順序は、データがそれに従ってアップリンクサブフレーム内のRE上で搬送される、アップリンクサブフレーム内の最後の搬送波から最初の搬送波へおよび各搬送波内の最初のOFDMシンボル内のREから最後のOFDMシンボル内のREへの順序であり、データは、UCIおよびUL DMRSのうちの少なくとも1つを含む。
【００７３】
第5の態様の第4から第18の実施の形の任意の可能な実施の形に関連して、第5の態様の第19の可能な実施の形において、送信ユニットは、指示情報を基地局に送信するようにさらに構成され、指示情報は、RIとACKおよびNACKのうちの少なくとも1つとによって占められるREの、アップリンクサブフレームの時間-周波数リソース内の位置を示すのに使用される。
【００７４】
第5の態様の第19の可能な実施の形に関連して、第5の態様の第20の可能な実施の形において、時間-周波数リソースは、リソースブロック、リソースブロック対、およびリソースブロックグループというリソースのうちの少なくとも1つを含む。
【００７５】
第6の態様によれば、本発明の実施形態は、基地局を提供する。第1のアップリンク復調参照信号UL DMRSパターンにおいて、アップリンクサブフレーム内の1つの直交周波数分割多重OFDMシンボル内のREが、UL DMRSを搬送するのに使用される。この基地局は、ユーザ機器UEによって送信されたアップリンクサブフレームを受信するように構成された受信ユニットであって、アップリンクサブフレーム内のリソース要素REは、第1のアップリンク復調参照信号UL DMRSパターンに従ってアップリンク制御情報UCIを搬送し、UCIを搬送するREが配置されるOFDMシンボルは、UL DMRSを搬送するREが配置されるOFDMシンボルに隣接する、受信ユニットと、第1のUL DMRSパターンに従って、受信ユニットによって受信されたアップリンクサブフレーム内で搬送されるUCIを獲得するように構成された獲得ユニットとを含む。
【００７６】
第6の態様の第1の可能な実施の形において、UL DMRSは、アップリンクサブフレーム内の第4のOFDMシンボル内のRE上で搬送され、アップリンクサブフレームは、14個のOFDMシンボル内にREを含む。
【００７７】
第6の態様または第6の態様の第1の可能な実施の形に関連して、第6の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【００７８】
第6の態様、第6の態様の第1の可能な実施の形、または第6の態様の第2の可能な実施の形に関連して、第6の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【００７９】
第6の態様の第3の可能な実施の形に関連して、第6の態様の第4の可能な実施の形において、獲得ユニットは、第1のOFDMシンボル内のRE上で搬送されるRIを獲得し、第2のOFDMシンボル内のRE上で搬送されるACKおよびNACKのうちの少なくとも1つを獲得し、第1のRE上で搬送されるCQI、PMI、およびPUSCH上のデータのうちの少なくとも1つを獲得するように特に構成され、第1のREは、UL DMRSを搬送せず、RIを搬送せず、ACKまたはNACKを搬送しないREである。
【００８０】
第6の態様の第4の可能な実施の形に関連して、第6の態様の第5の可能な実施の形において、獲得ユニットは、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得するように特に構成される。
【００８１】
第6の態様の第4の可能な実施の形に関連して、第6の態様の第6の可能な実施の形において、獲得ユニットは、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得するように特に構成される。
【００８２】
第6の態様の第4の可能な実施の形に関連して、第6の態様の第7の可能な実施の形において、獲得ユニットは、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得するように特に構成される。
【００８３】
第6の態様の第4の可能な実施の形に関連して、第6の態様の第8の可能な実施の形において、獲得ユニットは、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得するように特に構成される。
【００８４】
第6の態様の第4の可能な実施の形に関連して、第6の態様の第9の可能な実施の形において、獲得ユニットは、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得するように特に構成される。
【００８５】
第6の態様の第4の可能な実施の形に関連して、第6の態様の第10の可能な実施の形において、獲得ユニットは、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内にある第2のOFDMシンボルおよび第6のOFDMシンボル内のRE上で搬送されるACKおよびNACKのうちの少なくとも1つの、第1の部分を除く第2の部分とを獲得するように特に構成される。
【００８６】
第6の態様の第5から第10の実施の形の任意の可能な実施の形に関連して、第6の態様の第11の可能な実施の形において、受信ユニットは、UEによって送信された指示情報を受信するようにさらに構成され、指示情報は、RIとACKおよびNACKのうちの少なくとも1つとによって占められるREの、アップリンクサブフレームの時間-周波数リソース内の位置を示すのに使用され、獲得ユニットは、受信ユニットによって受信された指示情報に従って、第1のOFDMシンボル内のRE上で搬送されるRIを獲得し、受信ユニットによって受信された指示情報に従って、第2のOFDMシンボル内のRE上で搬送されるACKおよびNACKのうちの少なくとも1つを獲得するように特に構成される。
【００８７】
第6の態様の第11の可能な実施の形に関連して、第6の態様の第12の可能な実施の形において、時間-周波数リソースは、リソースブロック、リソースブロック対、およびリソースブロックグループというリソースのうちの少なくとも1つを含む。
【００８８】
第7の態様によれば、本発明の実施形態は、ユーザ機器UEをさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。このUEは、基地局によって送信されたトリガ情報を受信するように構成された受信ユニットであって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、受信ユニットと、受信ユニットによって受信されたトリガ情報に従い、第2のUL DMRSパターンに従って、アップリンク制御情報UCIを第2のアップリンクサブフレームにマッピングし、第2のアップリンクサブフレームを基地局に送信するように構成された送信ユニットとを含む。
【００８９】
第7の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００９０】
第7の態様の第2の可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００９１】
第7の態様の第2の可能な実施の形に関連して、第7の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【００９２】
第7の態様の第3の可能な実施の形に関連して、第7の態様の第4の可能な実施の形において、アップリンクスケジューリングに使用されるDCIフォーマットは、DCIフォーマット0またはDCIフォーマット4を含む。
【００９３】
第7の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【００９４】
第7の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【００９５】
第8の態様によれば、本発明の実施形態は、基地局をさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。この基地局は、ユーザ機器UEにトリガ情報を送信するように構成された送信ユニットであって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、送信ユニットと、第2のUL DMRSパターンに従ってUEによって送信された第2のアップリンクサブフレームを受信するように構成された受信ユニットと、第2のUL DMRSパターンに従って、受信ユニットによって受信された第2のアップリンクサブフレーム内で搬送されるUCIを獲得するように構成された獲得ユニットとを含む。
【００９６】
第8の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００９７】
第8の態様の第2の可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【００９８】
第8の態様の第2の可能な実施の形に関連して、第8の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【００９９】
第8の態様の第3の可能な実施の形に関連して、第8の態様の第4の可能な実施の形において、アップリンクスケジューリングに使用されるDCIフォーマットは、DCIフォーマット0またはDCIフォーマット4のうちの少なくとも1つを含む。
【０１００】
第8の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０１０１】
第8の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０１０２】
第9の態様によれば、本発明の実施形態は、ユーザ機器UEをさらに提供する。第1のアップリンク復調参照信号UL DMRSパターンにおいて、アップリンクサブフレーム内の1つの直交周波数分割多重OFDMシンボル内のリソース要素REが、UL DMRSを搬送するのに使用される。このUEは、第1のUL DMRSパターンに従ってアップリンクサブフレーム内のREにアップリンク制御情報UCIをマッピングするように構成されたプロセッサであって、UCIを搬送するREが配置されるOFDMシンボルは、UL DMRSを搬送するREが配置されるOFDMシンボルに隣接する、プロセッサと、基地局に、UCIを搬送する、プロセッサによって入手されたアップリンクサブフレームを送信するように構成された送信器とを含む。
【０１０３】
第9の態様の第1の可能な実施の形において、UL DMRSは、アップリンクサブフレーム内の第4のOFDMシンボル内のRE上で搬送され、アップリンクサブフレームは、14個のOFDMシンボルを含む。
【０１０４】
第9の態様または第9の態様の第1の可能な実施の形に関連して、第9の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０１０５】
第9の態様、第9の態様の第1の可能な実施の形、または第9の態様の第2の可能な実施の形に関連して、第9の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０１０６】
第9の態様の第3の可能な実施の形に関連して、第9の態様の第4の可能な実施の形において、プロセッサは、第1のOFDMシンボル内のREにRIをマッピングし、第2のOFDMシンボル内のREにACKおよびNACKのうちの少なくとも1つをマッピングし、第1のREにCQI、PMI、およびPUSCH上のデータのうちの少なくとも1つをマッピングするように特に構成され、第1のREは、UL DMRSを搬送せず、RIを搬送せず、ACKまたはNACKを搬送しないREである。
【０１０７】
第9の態様の第4の可能な実施の形に関連して、第9の態様の第5の可能な実施の形において、プロセッサは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内および第7のシンボル内にある、RIを搬送しないREに、ACKおよびNACKのうちの少なくとも1つの、第1の部分を除く第2の部分をマッピングするように特に構成される。
【０１０８】
第9の態様の第4の可能な実施の形に関連して、第9の態様の第6の可能な実施の形において、プロセッサは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングするように特に構成される。
【０１０９】
第9の態様の第4の可能な実施の形に関連して、第9の態様の第7の可能な実施の形において、プロセッサは、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングするように特に構成される。
【０１１０】
第9の態様の第4の可能な実施の形に関連して、第9の態様の第8の可能な実施の形において、プロセッサは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０１１１】
第9の態様の第4の可能な実施の形に関連して、第9の態様の第9の可能な実施の形において、プロセッサは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREに、ACKおよびNACKのうちの少なくとも1つをマッピングするように特に構成される。
【０１１２】
第9の態様の第4の可能な実施の形に関連して、第9の態様の第10の可能な実施の形において、プロセッサは、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０１１３】
第9の態様の第3の可能な実施の形に関連して、第9の態様の第11の可能な実施の形において、プロセッサは、第1のOFDMシンボル内のREにRIをマッピングし、UL DMRSおよびRIのいずれをも搬送しないREにCQI、PMI、およびPUSCH上のデータのうちの少なくとも1つをマッピングし、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするように特に構成される。
【０１１４】
第9の態様の第11の可能な実施の形に関連して、第9の態様の第12の可能な実施の形において、プロセッサは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレームの第1のOFDMシンボル内および第7のシンボル内にあり、RIを搬送しない、REに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０１１５】
第9の態様の第11の可能な実施の形に関連して、第9の態様の第13の可能な実施の形において、プロセッサは、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０１１６】
第9の態様の第11の可能な実施の形に関連して、第9の態様の第14の可能な実施の形において、プロセッサは、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きするように特に構成される。
【０１１７】
第9の態様の第11の可能な実施の形に関連して、第9の態様の第15の可能な実施の形において、プロセッサは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０１１８】
第9の態様の第11の可能な実施の形に関連して、第9の態様の第16の可能な実施の形において、プロセッサは、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０１１９】
第9の態様の第11の可能な実施の形に関連して、第9の態様の第17の可能な実施の形において、プロセッサは、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０１２０】
第9の態様の第5から第10の実施の形の任意の可能な実施の形または第9の態様の第12から第17の実施の形の任意の可能な実施の形に関連して、第9の態様の第18の可能な実施の形において、セット順序は、データがそれに従ってアップリンクサブフレーム内のRE上で搬送される、アップリンクサブフレーム内の最後の搬送波から最初の搬送波へおよび各搬送波内の最初のOFDMシンボル内のREから最後のOFDMシンボル内のREへの順序であり、データは、UCIおよびUL DMRSのうちの少なくとも1つを含む。
【０１２１】
第9の態様の第4から第18の実施の形の任意の可能な実施の形に関連して、第9の態様の第19の可能な実施の形において、送信器は、指示情報を基地局に送信するようにさらに構成され、指示情報は、RIとACKおよびNACKのうちの少なくとも1つとによって占められるREの、アップリンクサブフレームの時間-周波数リソース内の位置を示すのに使用される。
【０１２２】
第9の態様の第19の可能な実施の形に関連して、第9の態様の第20の可能な実施の形において、時間-周波数リソースは、リソースブロック、リソースブロック対、およびリソースブロックグループというリソースのうちの少なくとも1つを含む。
【０１２３】
第10の態様によれば、本発明の実施形態は、基地局を提供する。第1のアップリンク復調参照信号UL DMRSパターンにおいて、アップリンクサブフレーム内の1つの直交周波数分割多重OFDMシンボル内のREが、UL DMRSを搬送するのに使用される。この基地局は、ユーザ機器UEによって送信されたアップリンクサブフレームを受信するように構成された受信器であって、アップリンクサブフレーム内のリソース要素REは、第1のアップリンク復調参照信号UL DMRSパターンに従ってアップリンク制御情報UCIを搬送し、UCIを搬送するREが配置されるOFDMシンボルは、UL DMRSを搬送するREが配置されるOFDMシンボルに隣接する、受信器と、第1のUL DMRSパターンに従って、受信器によって受信されたアップリンクサブフレーム内で搬送されるUCIを獲得するように構成されたプロセッサとを含む。
【０１２４】
第10の態様の第1の可能な実施の形において、UL DMRSは、アップリンクサブフレーム内の第4のOFDMシンボル内のRE上で搬送され、アップリンクサブフレームは、14個のOFDMシンボル内にREを含む。
【０１２５】
第10の態様または第10の態様の第1の可能な実施の形に関連して、第10の態様の第2の可能な実施の形において、アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０１２６】
第10の態様、第10の態様の第1の可能な実施の形、または第10の態様の第2の可能な実施の形に関連して、第10の態様の第3の可能な実施の形において、UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０１２７】
第10の態様の第3の可能な実施の形に関連して、第10の態様の第4の可能な実施の形において、プロセッサは、第1のOFDMシンボル内のRE上で搬送されるRIを獲得し、第2のOFDMシンボル内のRE上で搬送されるACKおよびNACKのうちの少なくとも1つを獲得し、第1のRE上で搬送されるCQI、PMI、およびPUSCH上のデータのうちの少なくとも1つを獲得するように特に構成され、第1のREは、UL DMRSを搬送せず、RIを搬送せず、ACKまたはNACKを搬送しないREである。
【０１２８】
第10の態様の第4の可能な実施の形に関連して、第10の態様の第5の可能な実施の形において、プロセッサは、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得するように特に構成される。
【０１２９】
第10の態様の第4の可能な実施の形に関連して、第10の態様の第6の可能な実施の形において、プロセッサは、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得するように特に構成される。
【０１３０】
第10の態様の第4の可能な実施の形に関連して、第10の態様の第7の可能な実施の形において、プロセッサは、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得するように特に構成される。
【０１３１】
第10の態様の第4の可能な実施の形に関連して、第10の態様の第8の可能な実施の形において、プロセッサは、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得するように特に構成される。
【０１３２】
第10の態様の第4の可能な実施の形に関連して、第10の態様の第9の可能な実施の形において、プロセッサは、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得するように特に構成される。
【０１３３】
第10の態様の第4の可能な実施の形に関連して、第10の態様の第10の可能な実施の形において、プロセッサは、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内にある第2のOFDMシンボルおよび第6のOFDMシンボル内のRE上で搬送されるACKおよびNACKのうちの少なくとも1つの、第1の部分を除く第2の部分とを獲得するように特に構成される。
【０１３４】
第10の態様の第5から第10の実施の形の任意の可能な実施の形に関連して、第10の態様の第11の可能な実施の形において、受信器は、UEによって送信された指示情報を受信するようにさらに構成され、指示情報は、RIとACKおよびNACKのうちの少なくとも1つとによって占められるREの、アップリンクサブフレームの時間-周波数リソース内の位置を示すのに使用され、プロセッサは、受信器によって受信された指示情報に従って、第1のOFDMシンボル内のRE上で搬送されるRIを獲得し、受信器によって受信された指示情報に従って、第2のOFDMシンボル内のRE上で搬送されるACKおよびNACKのうちの少なくとも1つを獲得するように特に構成される。
【０１３５】
第10の態様の第11の可能な実施の形に関連して、第10の態様の第12の可能な実施の形において、時間-周波数リソースは、リソースブロック、リソースブロック対、およびリソースブロックグループというリソースのうちの少なくとも1つを含む。
【０１３６】
第11の態様によれば、本発明の実施形態は、ユーザ機器UEをさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。このUEは、基地局によって送信されたトリガ情報を受信するように構成された受信器であって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、受信器と、受信器によって受信されたトリガ情報に従い、第2のUL DMRSパターンに従って、アップリンク制御情報UCIを第2のアップリンクサブフレームにマッピングし、第2のアップリンクサブフレームを基地局に送信するように構成された送信器とを含む。
【０１３７】
第11の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０１３８】
第11の態様の第2の可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０１３９】
第11の態様の第2の可能な実施の形に関連して、第11の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【０１４０】
第11の態様の第3の可能な実施の形に関連して、第11の態様の第4の可能な実施の形において、アップリンクスケジューリングに使用されるDCIフォーマットは、DCIフォーマット0またはDCIフォーマット4を含む。
【０１４１】
第11の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０１４２】
第11の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０１４３】
第12の態様によれば、本発明の実施形態は、基地局をさらに提供する。第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。この基地局は、ユーザ機器UEにトリガ情報を送信するように構成された送信器であって、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される、送信器と、第2のUL DMRSパターンに従ってUEによって送信された第2のアップリンクサブフレームを受信するように構成された受信器と、第2のUL DMRSパターンに従って、受信器によって受信された第2のアップリンクサブフレーム内で搬送されるUCIを獲得するように構成されたプロセッサとを含む。
【０１４４】
第12の態様の第1の可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０１４５】
第12の態様の第2の可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０１４６】
第12の態様の第2の可能な実施の形に関連して、第12の態様の第3の可能な実施の形において、DCI指示は、物理ダウンリンク制御チャネルPDCCH上で搬送され、PDCCHのフォーマットは、アップリンクスケジューリングに使用されるDCIフォーマットである。
【０１４７】
第12の態様の第3の可能な実施の形に関連して、第12の態様の第4の可能な実施の形において、アップリンクスケジューリングに使用されるDCIフォーマットは、DCIフォーマット0またはDCIフォーマット4のうちの少なくとも1つを含む。
【０１４８】
第12の態様の第5の可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０１４９】
第12の態様の第6の可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０１５０】
本発明の実施形態において提供されるアップリンク制御情報送信方法、ユーザ機器、および基地局によれば、UEは、第1のUL DMRSパターンに従ってアップリンクサブフレーム内のREにUCIをマッピングし、UCIを搬送するREが配置されるOFDMシンボルは、UL DMRSを搬送するREが配置されるOFDMシンボルに隣接し、UEは、基地局に、UCIを搬送するアップリンクサブフレームを送信する。UCIが、アップリンクサブフレーム内でUL DMRSの位置に隣接する位置で搬送されるので、基地局によるUCI復調の性能が、改善され、これによって、データ送信レートおよびネットワークスループットが改善される。
【０１５１】
本発明の実施形態または従来技術における技術的解決策をより明瞭に説明するために、以下で、諸実施形態または従来技術を説明するのに必要な添付図面を短く紹介する。明らかに、以下の説明の添付図面は、本発明のいくつかの実施形態を示し、当業者は、それでも、創作的労力を伴わずにこれらの添付図面から他の図面を導出することができる。
【図面の簡単な説明】
【０１５２】
【図１】従来技術に置けるUCI送信フォーマットを示す概略図である。
【図２】本発明によるアップリンク制御情報送信方法の実施形態1を示す流れ図である。
【図３】本発明によるアップリンク制御情報送信方法の実施形態2を示す流れ図である。
【図４】本発明によるアップリンク制御情報送信方法の実施形態4を示す流れ図である。
【図５】本発明によるアップリンク制御情報送信方法の実施形態5を示す流れ図である。
【図６】本発明によるUCI送信フォーマットを示す第1の概略図である。
【図７】本発明によるアップリンク制御情報送信方法の実施形態6を示す流れ図である。
【図８】本発明によるUCI送信フォーマットを示す第2の概略図である。
【図９】本発明によるアップリンク制御情報送信方法の実施形態7を示す流れ図である。
【図１０】本発明によるUCI送信フォーマットを示す第3の概略図である。
【図１１】本発明によるアップリンク制御情報送信方法の実施形態8を示す流れ図である。
【図１２】本発明によるUCI送信フォーマットを示す第4の概略図である。
【図１３】本発明によるアップリンク制御情報送信方法の実施形態9を示す流れ図である。
【図１４】本発明によるUCI送信フォーマットを示す第5の概略図である。
【図１５】本発明によるアップリンク制御情報送信方法の実施形態10を示す流れ図である。
【図１６】本発明によるUCI送信フォーマットを示す第6の概略図である。
【図１７】本発明によるアップリンク制御情報送信方法の実施形態11を示す流れ図である。
【図１８】図17の第1のUL DMRSパターンに従ってUEによって送信される第1のアップリンクサブフレームを示す第1の概略図である。
【図１９】図17の第1のUL DMRSパターンに従ってUEによって送信される第1のアップリンクサブフレームを示す第2の概略図である。
【図２０】図17の第2のUL DMRSパターンに従ってUEによって送信される第2のアップリンクサブフレームを示す概略図である。
【図２１】本発明によるアップリンク制御情報送信方法の実施形態12を示す流れ図である。
【図２２】本発明によるUEの実施形態1を示す概略構造図である。
【図２３】本発明によるUEの実施形態3を示す概略構造図である。
【図２４】本発明による基地局の実施形態1を示す概略構造図である。
【図２５】本発明による基地局の実施形態3を示す概略構造図である。
【図２６】本発明によるUEの実施形態4を示す概略構造図である。
【図２７】本発明によるUEの実施形態6を示す概略構造図である。
【図２８】本発明による基地局の実施形態4を示す概略構造図である。
【図２９】本発明による基地局の実施形態6を示す概略構造図である。
【発明を実施するための形態】
【０１５３】
本発明の実施形態の目的、技術的解決策、および利点をより明瞭にするために、以下では、本発明の実施形態における添付図面に関連して本発明の実施形態における技術的解決策を明瞭に完全に説明する。明らかに、説明される実施形態は、本発明の実施形態のすべてではなく一部である。創作的労力を伴わずに本発明の実施形態に基づいて当業者が入手する他のすべての実施形態は、本発明の保護範囲に含まれなければならない。
【０１５４】
Long Term Evolution(略してLTE) Release 8(略してR8)からRelease 11(略してR11)システムにおいて、たとえば、サブフレーム内のUCIの送信フォーマットが、図1に示され、ここで、RIと、UCI内にあるACKおよびNACKのうちの少なくとも1つとは、UL DMRSの片側で搬送され、その結果、基地局は、チャネル推定をより正確に実行できるようになり、ACKまたはNACKのうちの少なくとも1つとRIとの復調の性能が、保証され、これによって、データ送信レートおよびネットワークスループットが改善される。
【０１５５】
図2は、本発明によるアップリンク制御情報送信方法の実施形態1の流れ図である。図2に示されているように、この実施形態における方法は、ユーザ機器(User Equipment、略してUE)によって実行され得る。この実施形態における方法は、以下のステップを含むことができる。
【０１５６】
S101。UEが、第1のアップリンク復調参照信号(Uplink Demodulation Reference Signal、略してUL DMRS)パターンに従ってアップリンクサブフレーム内のRE (Resource Element)にアップリンク制御情報(Uplink Control Information、略してUCI)をマッピングし、UCIを搬送するREが配置される直交周波数分割多重(Orthogonal Frequency Division Multiplexing、略してOFDM)シンボルは、UL DMRSを搬送するREが配置されるOFDMシンボルに隣接する。
【０１５７】
S102。UEが、基地局に、UCIを搬送するアップリンクサブフレームを送信する。
【０１５８】
この実施形態では、第1のUL DMRSパターン内で、アップリンクサブフレーム内の1つのOFDMシンボル内のREは、UL DMRSを搬送するのに使用され、いくつかのアプリケーションシナリオにおいて、UEによって基地局に送信されるUL DMRSの量を正しく減らすことができる、すなわち、UEは、アップリンクサブフレーム内のOFDMシンボル内のREを介して基地局にUL DMRSを送信することができる、すなわち、UEは、第1のUL DMRSパターン内でアップリンクサブフレーム内のOFDMシンボル内のREを介して1つのUL DMRSを送信する。この実施形態における第1のUL DMRSパターンは、UL DMRSオーバーヘッド削減パターンとすることができる。たとえば、UEのサービングセルがスモールセルである時に、UEは、基地局に送信されるUL DMRSの量を正しく減らすことができる、すなわち、UEは、アップリンクサブフレーム内の1つのOFDMシンボル内のREを介してUL DMRSを送信し、アップリンクサブフレームは、第1のUL DMRSパターンを使用するアップリンクサブフレームとすることができる。UEが、アップリンクサブフレームを使用することによって基地局にUCIを送信する必要がある時には、UEは、第1のUL DMRSパターンに従って、アップリンクサブフレームを使用するREにUCIをマッピングし、UCIを搬送するREが配置されるOFDMシンボルは、UL DMRSを搬送するREが配置されるOFDMシンボルに隣接する。その後、UEは、UCIを搬送するアップリンクサブフレームを基地局に送信する、すなわち、UEは、UCIを搬送するアップリンクサブフレームの時間-周波数リソース内ですべての情報を基地局に送信する。基地局は、第1のUL DMRSパターンを使用するアップリンクサブフレーム内のOFDMシンボル内のRE上で搬送されるUCIを獲得することができる。アップリンクサブフレーム内では、UCIを搬送するREが配置されるOFDMシンボルが、UL DMRSを搬送するREが配置されるOFDMシンボルに隣接するので、基地局によるUCIの復調の性能を改善することができる。
【０１５９】
本発明の実施形態1において提供されるアップリンク制御情報送信方法によれば、UEは、第1のUL DMRSパターンに従ってアップリンクサブフレーム内のREにUCIをマッピングし、ここで、UCIを搬送するREが配置されるOFDMシンボルは、UL DMRSを搬送するREが配置されるOFDMシンボルに隣接し、UEは、UCIを搬送するアップリンクサブフレームを基地局に送信する。UCIが、アップリンクサブフレーム内でUL DMRSの位置に隣接する位置において搬送されるので、基地局によるUCIの復調の性能が、改善され、これによって、データ送信レートおよびネットワークスループットが改善される。
【０１６０】
図3は、本発明によるアップリンク制御情報送信方法の実施形態2の流れ図である。図3に示されているように、この実施形態における方法は、ネットワーク側デバイス(たとえば、基地局)によって実行され得る。この実施形態における方法は、以下のステップを含むことができる。
【０１６１】
S201。基地局が、UEによって送信されたアップリンクサブフレームを受信し、アップリンクサブフレーム内のREは、第1のUL DMRSパターンに従ってUCIを搬送し、UCIを搬送するREが配置されるOFDMシンボルは、UL DMRSを搬送するREが配置されるOFDMシンボルに隣接する。
【０１６２】
S202。基地局が、第1のUL DMRSパターンに従って、アップリンクサブフレーム内で搬送されるUCIを獲得する。
【０１６３】
この実施形態では、第1のUL DMRSパターンにおいて、アップリンクサブフレーム内の1つのOFDMシンボル内のREが、UL DMRSを搬送するのに使用される。基地局は、UEによって送信されたアップリンクサブフレームを受信することができ、ここで、いくつかのアプリケーションシナリオにおいて、UEによって基地局に送信されるUL DMRSの量を正しく減らすことができるので、アップリンクサブフレーム内のOFDMシンボル内のREは、UL DMRSを搬送するのに使用される。たとえば、UEのサービングセルがスモールセルである時に、UEは、基地局に送信されるUL DMRSの量を正しく減らすことができる、すなわち、UEは、アップリンクサブフレーム内の1つのOFDMシンボル内のREを介してUL DMRSを送信し、アップリンクサブフレームは、第1のUL DMRSパターンを使用するアップリンクサブフレームとすることができる。この実施形態における第1のUL DMRSパターンは、UL DMRSオーバーヘッド削減パターンとすることができる。
【０１６４】
この実施形態では、UEによって基地局に送信されるUCIも、アップリンクサブフレームを使用することによって送信され、UCIを搬送するREが配置されるOFDMシンボルは、UL DMRSを搬送するREが配置されるOFDMシンボルに隣接し、その後、基地局は、第1のUL DMRSパターンに従って、アップリンクサブフレーム上で搬送されるUCIを獲得することができる。UCIが、アップリンクサブフレーム内のUL DMRSの位置に隣接する位置で搬送されるので、基地局によるUCIの復調の性能を改善することができる。
【０１６５】
本発明のこの実施形態によって提供されるアップリンク制御情報送信方法によれば、基地局は、ユーザ機器UEによって送信されたアップリンクサブフレームを受信し、アップリンクサブフレーム内のREは、第1のUL DMRSパターンに従ってUCIを搬送し、UCIを搬送するREが配置されるOFDMシンボルは、UL DMRSを搬送するREが配置されるOFDMシンボルに隣接し、基地局は、第1のUL DMRSパターンに従って、アップリンクサブフレーム内で搬送されるUCIを獲得する。UCIが、アップリンクサブフレーム内のUL DMRSの位置に隣接する位置で搬送されるので、基地局によるUCIの復調の性能が改善され、これによって、データ送信レートおよびネットワークスループットが改善される。
【０１６６】
本発明の方法実施形態1または本発明の方法実施形態2に基づく本発明のアップリンク制御情報送信方法の実施形態3において、この実施形態において、UL DMRSは、アップリンクサブフレーム内の第4のOFDMシンボル(OFDMシンボル3)内のRE上で搬送され、アップリンクサブフレームは、14個のOFDMシンボル内にREを含む。1つのアップリンクサブフレームに対応する時間-周波数リソースは、14個のOFDMシンボル内にREを含むことができ、14個のOFDMシンボルは、別々に、第1のOFDMシンボル(OFDMシンボル0)、第2のOFDMシンボル(OFDMシンボル1)、第3のOFDMシンボル(OFDMシンボル2)、第4のOFDMシンボル(OFDMシンボル3)、第5のOFDMシンボル(OFDMシンボル4)、第6のOFDMシンボル(OFDMシンボル5)、第7のOFDMシンボル(OFDMシンボル6)、第8のOFDMシンボル(OFDMシンボル7)、第9のOFDMシンボル(OFDMシンボル8)、第10のOFDMシンボル(OFDMシンボル9)、第11のOFDMシンボル(OFDMシンボル10)、第12のOFDMシンボル(OFDMシンボル11)、第13のOFDMシンボル(OFDMシンボル12)、および第14のOFDMシンボル(OFDMシンボル13)である。UEは、アップリンクサブフレーム内の第4のOFDMシンボル内のREに、アップリンクサブフレームを使用することによって送信されるUL DMRSをマッピングすることができる。対応して、基地局は、アップリンクサブフレーム内の第4のOFDMシンボル内のRE上で搬送されるUL DMRSを獲得することができる。
【０１６７】
さらに、アップリンクサブフレーム内では、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０１６８】
さらに、この実施形態におけるUCIは、ランク表示RIと、肯定応答ACKおよび否定応答NACKのうちの少なくとも1つとを含む。アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０１６９】
具体的には、この実施形態におけるUCIは、RIと、ACKおよびNACKのうちの少なくとも1つとを含むことができる。UEは、前述の第1のUL DMRSパターンを使用して、RIとACKおよびNACKのうちの少なくとも1つをアップリンクサブフレームにマッピングすることができ、UCIを搬送するアップリンクサブフレームが、形成される。対応して、基地局は、UCIを搬送するアップリンクサブフレームから、RIとACKおよびNACKのうちの少なくとも1つを獲得することができる。
【０１７０】
本発明の実施形態3において提供されるアップリンク制御情報送信方法によれば、UEは、第1のUL DMRSパターンに従ってアップリンクサブフレーム内のREにUCIをマッピングし、UCIを搬送するREが配置されるOFDMシンボルは、UL DMRSを搬送するREが配置されるOFDMシンボルに隣接し、UEは、基地局に、UCIを搬送するアップリンクサブフレームを送信する。基地局は、UEによって送信されたアップリンクサブフレームを受信することができ、アップリンクサブフレーム内のREは、第1のUL DMRSパターンに従ってUCIを搬送し、UCIを搬送するREが配置されるOFDMシンボルは、UL DMRSを搬送するREが配置されるOFDMシンボルに隣接し、基地局は、第1のUL DMRSパターンに従って、アップリンク副搬送波内で搬送されるUCIを獲得する。UCIが、アップリンクサブフレーム内のUL DMRSの位置に隣接する位置において搬送されるので、基地局によるUCI復調の性能が、改善され、これによって、データ送信レートおよびネットワークスループットが改善される。
【０１７１】
図4は、本発明によるアップリンク制御情報送信方法の実施形態4の流れ図である。図4に示されているように、この実施形態における方法は、以下のステップを含むことができる。
【０１７２】
S401。UEが、第1のOFDMシンボル内のREにRIをマッピングする。
【０１７３】
この実施形態において、第1のUL DMRSパターン内で、アップリンクサブフレーム内の1つのOFDMシンボル内のREが、UL DMRSを搬送するのに使用され、アップリンクサブフレーム内で、UEは、UCI内のRIを、UL DMRS OFDMシンボルに隣接する第1のOFDMシンボル内のREにマッピングし、UL DMRS OFDMシンボルは、UL DMRSを搬送するOFDMシンボルであり、UL DMRS OFDMシンボルは、第4のOFDMシンボルである。したがって、第4のOFDMシンボルに隣接する少なくとも2つの第1のOFDMシンボルは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルとすることができる。
【０１７４】
S402。UEが、UL DMRSおよびRIのいずれをも搬送しないREにCQI、PMI、およびPUSCH上のデータのうちの少なくとも1つをマッピングする。
【０１７５】
この実施形態において、UEは、第1のOFDMシンボル内のREにRIをマッピングし、UEは、CQI、PMI、およびPUSCH上のデータのうちの少なくとも1つを、アップリンクサブフレーム内でUL DMRSおよびRIのいずれをも搬送しないREにマッピングする。この場合において、アップリンクサブフレーム内のすべてのREは、UL DMRSと、RIと、CQI、PMI、およびPUSCH上のデータのうちの少なくとも1つとによって占められる。
【０１７６】
S403。UEが、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きする。
【０１７７】
この実施形態において、UEは、CQI、PMI、およびPUSCH上のデータのうちの少なくとも1つをUL DMRSおよびRIのいずれをも搬送しないREにマッピングした後に、ACKおよびNACKのうちの少なくとも1つを、UL DMRS OFDMシンボルに隣接する第2のOFDMシンボル内のREにマッピングし、UL DMRS OFDMシンボルは、UL DMRSを搬送するOFDMシンボルであり、UL DMRS OFDMシンボルは、第4のシンボルである。したがって、第4のOFDMシンボルに隣接する少なくとも2つの第2のOFDMシンボルは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルとすることができる。UEは、ACKおよびNACKのうちの少なくとも1つを、第2のOFDMシンボル内にあり、RIを搬送しないが、CQI、PMI、およびPUSCH上のデータのうちの少なくとも1つを搬送するREにマッピングすることができ、ACKおよびNACKのうちの少なくとも1つがRE上で搬送される時に、そのRE上のCQI、PMI、およびPUSCH上のデータのうちの少なくとも1つは、上書きされる。
【０１７８】
S404。UEが、基地局に、UCIを搬送するアップリンクサブフレームを送信する。
【０１７９】
この実施形態において、S404の特定の実施プロセスは、本発明の方法実施形態1におけるS102の特定の実施プロセスに類似する。詳細については、前述の実施形態における関連する説明を参照することができ、詳細を、本発明のこの実施形態において本明細書でもう一度説明することはしない。
【０１８０】
S405。基地局が、UEによって送信されたアップリンクサブフレームを受信する。
【０１８１】
この実施形態において、S405の特定の実施プロセスは、本発明の方法実施形態2におけるS201の特定の実施プロセスに類似する。詳細については、前述の実施形態における関連する説明を参照することができ、詳細を、本発明のこの実施形態において本明細書でもう一度説明することはしない。
【０１８２】
S406。基地局が、第1のOFDMシンボル内のRE上で搬送されるRIを獲得する。
【０１８３】
S407。基地局が、第2のOFDMシンボル内のRE上で搬送されるACKおよびNACKのうちの少なくとも1つを獲得する。
【０１８４】
S408。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０１８５】
この実施形態において、前述のアップリンクサブフレーム内で、基地局は、第1のOFDMシンボル内のRE上で搬送されるRIを獲得することができ、第2のOFDMシンボル内のRE上で搬送されるACKおよびNACKのうちの少なくとも1つを獲得することもでき、さらに、第1のRE上で搬送されるCQI、PMI、およびPUSCH上のデータのうちの少なくとも1つを獲得することができ、第1のREは、UL DMRSを搬送せず、RIを搬送せず、ACKまたはNACKを搬送しないREである。
【０１８６】
S406、S407、およびS408の間の実行順序が、本発明のこの実施形態において限定されないことに留意されたい。
【０１８７】
本発明のこの実施形態におけるもう1つの実現可能な実施の形において、S401からS403の実施プロセスは、次の通りとすることができる:UEが、第1のOFDMシンボル内のREにRIをマッピングし、UEが、第2のOFDMシンボル内のREにACKおよびNACKのうちの少なくとも1つをマッピングし、UEが、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０１８８】
本発明の実施形態4において提供されるアップリンク制御情報送信方法によれば、UEは、第1のOFDMシンボル内のREにRIをマッピングし、UL DMRSおよびRIのいずれをも搬送しないREにCQI、PMI、およびPUSCH上のデータのうちの少なくとも1つをマッピングし、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きし、基地局に、UCIを搬送するアップリンクサブフレームを送信する。アップリンクサブフレームを受信した後に、基地局は、第1のOFDMシンボル内のRE上で搬送されるRIを獲得し、第2のOFDMシンボル内のRE上で搬送されるACKおよびNACKのうちの少なくとも1つを獲得し、第1のRE上で搬送されるCQI、PMI、およびPUSCH上のデータのうちの少なくとも1つを獲得する。UCIが、アップリンクサブフレーム内のUL DMRSの位置に隣接する位置において搬送されるので、基地局によるUCI復調の性能が、改善され、これによって、データ送信レートおよびネットワークスループットが改善される。
【０１８９】
図5は、本発明によるアップリンク制御情報送信方法の実施形態5の流れ図である。図5に示されているように、この実施形態における方法は、以下のステップを含むことができる。
【０１９０】
S501。セット順序に従って、UEが、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングする。
【０１９１】
この実施形態において、第1のUL DMRSパターンにおいて、アップリンクサブフレーム内の1つのOFDMシンボル内のREが、UL DMRSを搬送するのに使用され、アップリンクサブフレーム内で、UEは、セット順序に従って、RIの第1の部分を第2のOFDMシンボルおよび第6のOFDMシンボル内のREにまずマッピングし、その後、セット順序に従って、RIの、第1の部分を除く第2の部分(すなわち、RIの残りの部分)を、第1のOFDMシンボルおよび第7のOFDMシンボル内のREにマッピングする。RIが、第2のOFDMシンボルおよび第6のOFDMシンボル内のすべてのREを占めるのではない、または、RIが、第2のOFDMシンボルおよび第6のOFDMシンボル内のすべてのREを正確に占める場合には、これは、RIの第1の部分が完全なRIであり、RIの、第1の部分を除く第2の部分が0であることを示し、UEは、RIの、第1の部分を除く第2の部分を第1のOFDMシンボルおよび第7のOFDMシンボル内のREにマッピングする必要がない。
【０１９２】
S502。UEが、UL DMRSおよびRIのいずれをも搬送しないREにCQI、PMI、およびPUSCH上のデータのうちの少なくとも1つをマッピングする。
【０１９３】
この実施形態において、S502の特定の実施プロセスは、本発明の方法実施形態4内のS402の特定の実施プロセスに類似する。詳細については、前述の実施形態における関連する説明を参照することができ、詳細を、本発明のこの実施形態において本明細書でもう一度説明することはしない。
【０１９４】
S503。セット順序に従って、UEが、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内にあり、RIを搬送しない、第1のOFDMシンボルおよび第7のシンボル内のREに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きする。
【０１９５】
この実施形態において、アップリンクサブフレーム内で、UEは、セット順序に従って、第3のOFDMシンボルおよび第5のOFDMシンボル内のREにACKおよびNACKのうちの少なくとも1つの第1の部分をまずマッピングし、その後、セット順序に従って、RIを搬送しない、第1のOFDMシンボルおよび第7のシンボル内のREに、ACKおよびNACKのうちの少なくとも1つの、第1の部分を除く第2の部分(すなわち、ACKおよびNACKのうちの少なくとも1つの残りの部分)をマッピングし、第1のOFDMシンボル、第3のOFDMシンボル、第5のOFDMシンボル、および第7のOFDMシンボル内のRE上で搬送されるCQI、PMI、およびPUSCH上のデータのうちの少なくとも1つを上書きする。ACKおよびNACKのうちの少なくとも1つが、第3のOFDMシンボルおよび第5のOFDMシンボル内のすべてのREを占めるのではないか、ACKおよびNACKのうちの少なくとも1つが、第3のOFDMシンボルおよび第5のOFDMシンボル内のすべてのREを正確に占める場合には、これは、ACKおよびNACKのうちの少なくとも1つの第1の部分が、完全なACKおよび完全なNACKのうちの少なくとも1つであり、ACKおよびNACKのうちの少なくとも1つの、第1の部分を除く第2の部分が0であることを示し、UEは、ACKおよびNACKのうちの少なくとも1つの、第1の部分を除く第2の部分を、第1のOFDMシンボルおよび第7のOFDMシンボル内のREにマッピングする必要がない。
【０１９６】
この実施形態において、UEは、UL DMRSと、RIと、CQI、PMI、およびPUSCH上のデータのうちの少なくとも1つと、ACKおよびNACKのうちの少なくとも1つとを、アップリンクサブフレームにマッピングし、図6に示されたUCI送信フォーマットが、形成され得る。この実施形態において、図6に示されたUCI送信フォーマットは、UCIをアップリンクサブフレームにマッピングするのに使用され、その後、UCIを搬送するアップリンクサブフレームが、基地局に送信される。図6が、単に説明のための例として使用されることと、本発明のこの実施形態が、図6に示されたUCI送信フォーマットに限定されないこととに留意されたい。
【０１９７】
S504。UEが、基地局に、UCIを搬送するアップリンクサブフレームを送信する。
【０１９８】
S505。基地局が、UEによって送信されたアップリンクサブフレームを受信する。
【０１９９】
この実施形態において、S504およびS505の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２００】
S506。基地局が、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得する。
【０２０１】
S507。基地局が、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得する。
【０２０２】
S508。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２０３】
この実施形態において、図6に示されたUCI送信フォーマットに従って、基地局は、第2のOFDMシンボル内のREおよび第6のOFDMシンボル内のRE上で搬送されるRIの第1の部分と、第1のOFDMシンボル内のREおよび第7のOFDMシンボル内のRE上で搬送されるRIの、第1の部分を除く第2の部分とを獲得することができる。第1のOFDMシンボル内のREおよび第7のOFDMシンボル内のREがRIを搬送しない場合には、基地局は、第1のOFDMシンボル内のREおよび第7のOFDMシンボル内のREからRIを獲得しなくてもよく、基地局は、第3のOFDMシンボル内のREおよび第5のOFDMシンボル内のRE上で搬送されるACKおよびNACKのうちの少なくとも1つの第1の部分と、第1のOFDMシンボル内のREおよび第7のOFDMシンボル内のRE上で搬送されるACKおよびNACKのうちの少なくとも1つの、第1の部分を除く第2の部分とを獲得することもでき、第1のOFDMシンボル内のREおよび第7のOFDMシンボル内のREがACKおよびNACKのいずれをも搬送しない場合には、基地局は、第1のOFDMシンボル内のREおよび第7のOFDMシンボル内のREからACKおよびNACKのうちの少なくとも1つを獲得しなくてもよく、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２０４】
S506、S507、およびS508の間の実行順序が、本発明のこの実施形態において限定されないことに留意されたい。
【０２０５】
本発明のこの実施形態におけるもう1つの実現可能な実施の形において、S501からS503の実施プロセスは、次の通りとすることができる:セット順序に従って、UEが、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、UEが、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内にあり、RIを搬送しない、第1のOFDMシンボル内および第7のシンボル内のREに、ACKおよびNACKのうちの少なくとも1つの、第1の部分を除く第2の部分第1の部分をマッピングし、UEが、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２０６】
本発明の実施形態5において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２０７】
図7は、本発明によるアップリンク制御情報送信方法の実施形態6の流れ図である。図7に示されているように、この実施形態における方法は、以下のステップを含むことができる。
【０２０８】
S601。セット順序に従って、UEが、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングする。
【０２０９】
この実施形態において、S601の特定の実施プロセスは、本発明の方法実施形態5におけるS501の特定の実施プロセスに類似する。詳細については、前述の実施形態における関連する説明を参照することができ、詳細を、本発明のこの実施形態において本明細書でもう一度説明することはしない。
【０２１０】
S602。UEが、UL DMRSおよびRIのいずれをも搬送しないREにCQI、PMI、およびPUSCH上のデータのうちの少なくとも1つをマッピングする。
【０２１１】
この実施形態において、S602の特定の実施プロセスは、本発明の方法実施形態4におけるS402の特定の実施プロセスに類似する。詳細については、前述の実施形態における関連する説明を参照することができ、詳細を、本発明のこの実施形態において本明細書でもう一度説明することはしない。
【０２１２】
S603。UEが、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きする。
【０２１３】
この実施形態において、UEは、UL DMRSと、RIと、CQI、PMI、およびPUSCH上のデータのうちの少なくとも1つと、ACKおよびNACKのうちの少なくとも1つとをアップリンクサブフレームにマッピングし、図8に示されたUCI送信フォーマットが、形成され得る。この実施形態において、図8に示されたUCI送信フォーマットは、UCIをアップリンクサブフレームにマッピングするのに使用され、その後、UCIを搬送するアップリンクサブフレームが、基地局に送信される。図8が、単に説明のための例として使用されることと、本発明のこの実施形態が、図8に示されたUCI送信フォーマットに限定されないこととに留意されたい。
【０２１４】
S604。UEが、基地局に、UCIを搬送するアップリンクサブフレームを送信する。
【０２１５】
S605。基地局が、UEによって送信されたアップリンクサブフレームを受信する。
【０２１６】
この実施形態において、S504およびS505の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２１７】
S606。基地局が、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得する。
【０２１８】
S607。基地局が、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得する。
【０２１９】
S608。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２２０】
この実施形態において、図8に示されたUCI送信フォーマットに従って、基地局は、第2のOFDMシンボル内のREおよび第6のOFDMシンボル内のRE上で搬送されるRIの第1の部分と、第1のOFDMシンボルおよび第7のOFDMシンボル内のRE上で搬送されるRIの、第1の部分を除く第2の部分とを獲得することができ、第1のOFDMシンボル内のREおよび第7のOFDMシンボル内のREがRIを搬送しない場合には、基地局は、第1のOFDMシンボル内のREおよび第7のOFDMシンボル内のREからRIを獲得しなくてもよく、基地局は、第1のOFDMシンボル内のRE、第3のOFDMシンボル内のRE、第5のOFDMシンボル内のRE、および第7のOFDMシンボル内のRE上で搬送されるACKおよびNACKのうちの少なくとも1つを獲得することもでき、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２２１】
S606、S607、およびS608の間の実行順序が、本発明のこの実施形態において限定されないことに留意されたい。
【０２２２】
本発明のこの実施形態におけるもう1つの実現可能な実施の形において、S601からS603の実施プロセスは、次の通りとすることができる:セット順序に従って、UEは、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、UEは、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないREおよびアップリンクサブフレーム内の第7のOFDMシンボル内にあり、RIを搬送しないREにACKおよびNACKのうちの少なくとも1つをマッピングし、UEは、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２２３】
本発明の実施形態6において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２２４】
図9は、本発明によるアップリンク制御情報送信方法の実施形態7の流れ図である。図9に示されているように、この実施形態における方法は、以下のステップを含むことができる。
【０２２５】
S701。UEが、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングする。
【０２２６】
S702。UEが、UL DMRSおよびRIのいずれをも搬送しないREにCQI、PMI、およびPUSCH上のデータのうちの少なくとも1つをマッピングする。
【０２２７】
この実施形態において、S702の特定の実施プロセスは、本発明の方法実施形態4におけるS402の特定の実施プロセスに類似する。詳細については、前述の実施形態における関連する説明を参照することができ、詳細を、本発明のこの実施形態において本明細書でもう一度説明することはしない。
【０２２８】
S703。セット順序に従って、UEが、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きする。
【０２２９】
この実施形態において、アップリンクサブフレーム内で、UEは、セット順序に従って、第3のOFDMシンボルおよび第5のOFDMシンボル内のすべてのREにACKおよびNACKのうちの少なくとも1つをまずマッピングし、その後、セット順序に従って、第1のOFDMシンボル、第2のOFDMシンボル、第6のOFDMシンボル、および第7のOFDMシンボル内にあり、RIを搬送しないREに、ACKおよびNACKのうちの少なくとも1つの、第1の部分を除く第2の部分(すなわち、ACKおよび/またはNACKの残りの部分)をマッピングし、第1のOFDMシンボル、第2のOFDMシンボル、第3のOFDMシンボル、第5のOFDMシンボル、第6のOFDMシンボル、および第7のOFDMシンボル内のRE上で搬送されるCQI、PMI、およびPUSCH上のデータのうちの少なくとも1つを上書きする。ACKおよびNACKのうちの少なくとも1つが、第3のOFDMシンボルおよび第5のOFDMシンボル内のすべてのREを占めるのではないか、ACKおよびNACKのうちの少なくとも1つが、第3のOFDMシンボルおよび第5のOFDMシンボル内のすべてのREを正確に占める場合には、これは、ACKおよびNACKのうちの少なくとも1つの第1の部分が、完全なACKおよび完全なNACKのうちの少なくとも1つであり、ACKおよびNACKのうちの少なくとも1つの、第1の部分を除く第2の部分が0であることを示し、UEは、ACKおよびNACKのうちの少なくとも1つの、第1の部分を除く第2の部分を、第1のOFDMシンボル、第2のOFDMシンボル、第6のOFDMシンボル、および第7のOFDMシンボル内のREにマッピングする必要がない。
【０２３０】
この実施形態において、UEは、UL DMRSと、RIと、CQI、PMI、およびPUSCH上のデータのうちの少なくとも1つと、ACKおよびNACKのうちの少なくとも1つとを、第1のUL DMRSパターンを使用してアップリンクサブフレームにマッピングし、図10に示されたUCI送信フォーマットが、形成され得る。この実施形態において、図10に示されたUCI送信フォーマットは、UCIをアップリンクサブフレームにマッピングし、その後、UCIを搬送するアップリンクサブフレームが、基地局に送信される。図10が、単に説明のための例として使用されることと、本発明のこの実施形態が、図10に示されたUCI送信フォーマットに限定されないこととに留意されたい。
【０２３１】
S704。UEが、基地局に、UCIを搬送するアップリンクサブフレームを送信する。
【０２３２】
S705。基地局が、UEによって送信されたアップリンクサブフレームを受信する。
【０２３３】
この実施形態において、S704およびS705の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２３４】
S706。基地局が、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得する。
【０２３５】
S707。基地局が、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得する。
【０２３６】
S708。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２３７】
この実施形態において、図10に示されたUCI送信フォーマットに従って、基地局は、第1のOFDMシンボル内のRE、第2のOFDMシンボル内のRE、第6のOFDMシンボル内のRE、および第7のOFDMシンボル内のRE上で搬送されるRIを獲得することができ、基地局は、第3のOFDMシンボル内のREおよび第5のOFDMシンボル内のRE上で搬送されるACKおよびNACKのうちの少なくとも1つの第1の部分と、第1のOFDMシンボル内のRE、第2のOFDMシンボル内のRE、第6のOFDMシンボル内のRE、および第7のOFDMシンボル内のRE上で搬送されるACKおよびNACKのうちの少なくとも1つの、第1の部分を除く第2の部分とを獲得することもでき、第3のOFDMシンボル内のREおよび第5のOFDMシンボル内のREが、ACKおよびNACKを搬送しない場合には、基地局は、第1のOFDMシンボル内のRE、第2のOFDMシンボル内のRE、第6のOFDMシンボル内のRE、および第7のOFDMシンボル内のREからACKおよびNACKのうちの少なくとも1つを獲得しなくてもよく、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２３８】
S706、S707、およびS708の間の実行順序が、本発明のこの実施形態において限定されないことに留意されたい。
【０２３９】
本発明のこの実施形態におけるもう1つの実現可能な実施の形において、S701からS703の実施プロセスは、次の通りとすることができる:UEは、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、UEは、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、UEは、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２４０】
本発明の実施形態7において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２４１】
図11は、本発明によるアップリンク制御情報送信方法の実施形態8の流れ図である。図11に示されているように、この実施形態における方法は、以下のステップを含むことができる。
【０２４２】
S801。セット順序に従って、UEが、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングする。
【０２４３】
この実施形態において、アップリンクフレーム内で、UEは、セット順序に従って、第1のOFDMシンボルおよび第7のOFDMシンボル内のREにRIの第1の部分をまずマッピングし、その後、セット順序に従って、第8のOFDMシンボルおよび第9のOFDMシンボル内のREに、RIの、第1の部分を除く第2の部分(すなわち、RIの残りの部分)をマッピングする。RIが、第1のOFDMシンボルおよび第7のOFDMシンボル内のすべてのREを占めるのではないか、RIが、第1のOFDMシンボルおよび第7のOFDMシンボル内のすべてのREを正確に占める場合には、これは、RIの第1の部分が完全なRIであり、RIの第1の部分を除く第2の部分が0であることを示し、UEは、RIの、第1の部分を除く第2の部分を第8のOFDMシンボルおよび第9のOFDMシンボル内のREにマッピングする必要がない。
【０２４４】
S802。UEが、UL DMRSおよびRIのいずれをも搬送しないREにCQI、PMI、およびPUSCH上のデータのうちの少なくとも1つをマッピングする。
【０２４５】
この実施形態において、S802の特定の実施プロセスは、本発明の方法実施形態4におけるS402の特定の実施プロセスに類似する。詳細については、前述の実施形態における関連する説明を参照することができ、詳細を、本発明のこの実施形態において本明細書でもう一度説明することはしない。
【０２４６】
S803。セット順序に従って、UEが、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きする。
【０２４７】
この実施形態において、アップリンクサブフレーム内で、UEは、セット順序に従って、第3のOFDMシンボルおよび第5のOFDMシンボル内のREにACKおよびNACKのうちの少なくとも1つの第1の部分をまずマッピングし、その後、第2のOFDMシンボルおよび第6のOFDMシンボル内のREに、ACKおよびNACKのうちの少なくとも1つの、第1の部分を除く第2の部分(すなわち、ACKおよび/またはNACKの残りの部分)をマッピングし、第2のOFDMシンボル、第3のOFDMシンボル、第5のOFDMシンボル、および第7のOFDMシンボル内のRE上で搬送されるCQI、PMI、およびPUSCH上のデータのうちの少なくとも1つを上書きする。ACKおよびNACKのうちの少なくとも1つが、第3のOFDMシンボルおよび第5のOFDMシンボル内のすべてのREを占めるのではないか、ACKおよびNACKのうちの少なくとも1つが、第3のOFDMシンボルおよび第5のOFDMシンボル内のすべてのREを正確に占める場合には、これは、ACKおよびNACKのうちの少なくとも1つの第1の部分が、完全なACKまたは完全なNACKのうちの少なくとも1つであり、ACKおよびNACKのうちの少なくとも1つの、第1の部分を除く第2の部分が0であることを示し、UEは、ACKおよびNACKのうちの少なくとも1つの、第1の部分を除く第2の部分を第2のOFDMシンボルおよび第6のOFDMシンボル内のREにマッピングする必要がない。
【０２４８】
この実施形態において、UEは、UL DMRSと、RIと、CQI、PMI、およびPUSCH上のデータのうちの少なくとも1つと、ACKおよびNACKのうちの少なくとも1つとをアップリンクサブフレームにマッピングし、図12に示されたUCI送信フォーマットが、形成され得る。この実施形態において、図12に示されたUCI送信フォーマットは、UCIをアップリンクサブフレームにマッピングするのに使用され、その後、UCIを搬送するアップリンクサブフレームが、基地局に送信される。図10が、単に説明のための例として使用されることと、本発明のこの実施形態が、図10に示されたUCI送信フォーマットに限定されないこととに留意されたい。
【０２４９】
S804。UEが、基地局に、UCIを搬送するアップリンクサブフレームを送信する。
【０２５０】
S805。基地局が、UEによって送信されたアップリンクサブフレームを受信する。
【０２５１】
この実施形態において、S804およびS805の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２５２】
S806。基地局が、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得する。
【０２５３】
S807。基地局が、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得する。
【０２５４】
S808。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２５５】
この実施形態において、図12に示されたUCI送信フォーマットに従って、基地局は、第1のOFDMシンボル内のREおよび第7のOFDMシンボル内のRE上で搬送されるRIの第1の部分と、第8のOFDMシンボル内のREおよび第9のOFDMシンボル内のRE上で搬送されるRIの、第1の部分を除く第2の部分とを獲得することができ、第8のOFDMシンボル内のREおよび第9のOFDMシンボル内のREが、RIを搬送しない場合には、基地局は、第8のOFDMシンボル内のREおよび第9のOFDMシンボル内のREからRIを獲得しなくてもよく、基地局は、第3のOFDMシンボル内のREおよび第5のOFDMシンボル内のRE上で搬送され、第2のOFDMシンボル内のREおよび第6のOFDMシンボル内のRE上で搬送されるACKおよびNACKのうちの少なくとも1つを獲得することもでき、第2のOFDMシンボル内のREおよび第6のOFDMシンボル内のREが、ACKおよびNACKのいずれをも搬送しない場合には、基地局は、第2のOFDMシンボル内のREおよび第6のOFDMシンボル内のREからACKおよびNACKのうちの少なくとも1つを獲得しなくてもよく、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２５６】
S806、S807、およびS808の間の実行順序が、本発明のこの実施形態において限定されないことに留意されたい。
【０２５７】
本発明のこの実施形態におけるもう1つの実現可能な実施の形において、S801からS803の実施プロセスは、次の通りとすることができる:セット順序に従って、UEは、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、UEは、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREにACKおよびNACKのうちの少なくとも1つの、第1の部分を除く第2の部分をマッピングし、UEは、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２５８】
本発明の実施形態8において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２５９】
図13は、本発明によるアップリンク制御情報送信方法の実施形態9の流れ図である。図13に示されているように、この実施形態における方法は、以下のステップを含むことができる。
【０２６０】
S901。セット順序に従って、UEが、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングする。
【０２６１】
この実施形態において、S901の特定の実施プロセスは、本発明の方法実施形態8におけるS801の特定の実施プロセスに類似する。詳細については、前述の実施形態における関連する説明を参照することができ、詳細を、本発明のこの実施形態において本明細書でもう一度説明することはしない。
【０２６２】
S902。UEが、UL DMRSおよびRIのいずれをも搬送しないREにCQI、PMI、およびPUSCH上のデータのうちの少なくとも1つをマッピングする。
【０２６３】
この実施形態において、S902の特定の実施プロセスは、本発明の方法実施形態4におけるS402の特定の実施プロセスに類似する。詳細については、前述の実施形態における関連する説明を参照することができ、詳細を、本発明のこの実施形態において本明細書でもう一度説明することはしない。
【０２６４】
S903。UEが、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きする。
【０２６５】
この実施形態において、UEは、UL DMRSと、RIと、CQI、PMI、およびPUSCH上のデータのうちの少なくとも1つと、ACKおよびNACKのうちの少なくとも1つとをアップリンクサブフレームにマッピングし、図14に示されたUCI送信フォーマットが、形成され得る。この実施形態において、図14に示されたUCI送信フォーマットは、UCIをアップリンクサブフレームにマッピングするのに使用され、その後、UCIを搬送するアップリンクサブフレームが、基地局に送信される。図14が、単に説明のための例として使用されることと、本発明のこの実施形態が、図14に示されたUCI送信フォーマットに限定されないこととに留意されたい。
【０２６６】
S904。UEが、基地局に、UCIを搬送するアップリンクサブフレームを送信する。
【０２６７】
S905。基地局が、UEによって送信されたアップリンクサブフレームを受信する。
【０２６８】
この実施形態において、S904およびS905の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２６９】
S906。基地局が、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得する。
【０２７０】
S907。基地局が、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得する。
【０２７１】
S908。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２７２】
この実施形態において、図14に示されたUCI送信フォーマットに従って、基地局は、第1のOFDMシンボル内のREおよび第7のOFDMシンボル内のRE上で搬送されるRIの第1の部分と、第8のOFDMシンボル内のREおよび第9のOFDMシンボル内のRE上で搬送されるRIの、第1の部分を除く第2の部分とを獲得することができ、第8のOFDMシンボル内のREおよび第9のOFDMシンボル内のREがRIを搬送しない場合には、基地局は、第8のOFDMシンボル内のREおよび第9のOFDMシンボル内のREからRIを獲得しなくてもよく、基地局は、第2のOFDMシンボル内のRE、第3のOFDMシンボル内のRE、第5のOFDMシンボル内のRE、および第6のOFDMシンボル内のRE上で搬送されるACKおよびNACKのうちの少なくとも1つを獲得することもでき、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２７３】
S906、S907、およびS908の間の実行順序が、本発明のこの実施形態において限定されないことに留意されたい。
【０２７４】
本発明のこの実施形態におけるもう1つの実現可能な実施の形において、S901からS903の実施プロセスは、次の通りとすることができる:セット順序に従って、UEは、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、UEは、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、UEは、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２７５】
本発明の実施形態9において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２７６】
図15は、本発明によるアップリンク制御情報送信方法の実施形態10の流れ図である。図15に示されているように、この実施形態における方法は、以下のステップを含むことができる。
【０２７７】
S1001。UEが、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングする。
【０２７８】
S1002。UEが、UL DMRSおよびRIのいずれをも搬送しないREにCQI、PMI、およびPUSCH上のデータのうちの少なくとも1つをマッピングする。
【０２７９】
この実施形態において、S1002の特定の実施プロセスは、本発明の方法実施形態4におけるS402の特定の実施プロセスに類似する。詳細については、前述の実施形態における関連する説明を参照することができ、詳細を、本発明のこの実施形態において本明細書でもう一度説明することはしない。
【０２８０】
S1003。セット順序に従って、UEが、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きする。
【０２８１】
この実施形態において、アップリンクサブフレーム内で、UEは、セット順序に従って、第3のOFDMシンボルおよび第5のOFDMシンボル内のREにACKおよびNACKのうちの少なくとも1つの第1の部分をまずマッピングし、その後、第2のOFDMシンボルおよび第6のOFDMシンボル内のREに、ACKおよびNACKのうちの少なくとも1つの、第1の部分を除く第2の部分(すなわち、ACKおよびNACKのうちの少なくとも1つの残りの部分)をマッピングし、第2のOFDMシンボル、第3のOFDMシンボル、第5のOFDMシンボル、および第7のOFDMシンボル内のRE上で搬送されるCQI、PMI、およびPUSCH上のデータのうちの少なくとも1つを上書きする。ACKおよびNACKのうちの少なくとも1つが、第3のOFDMシンボルおよび第5のOFDMシンボル内のすべてのREを占めるのではないか、ACKおよびNACKのうちの少なくとも1つが、第3のOFDMシンボルおよび第5のOFDMシンボル内のすべてのREを正確に占める場合には、これは、ACKおよびNACKのうちの少なくとも1つの第1の部分が、完全なACKおよび完全なNACKのうちの少なくとも1つであり、ACKおよびNACKのうちの少なくとも1つの、第1の部分を除く第2の部分が0であることを示し、UEは、ACKおよびNACKのうちの少なくとも1つの、第1の部分を除く第2の部分を第2のOFDMシンボルおよび第6のOFDMシンボル内のREにマッピングする必要がない。
【０２８２】
この実施形態において、UEは、UL DMRSと、RIと、CQI、PMI、およびPUSCH上のデータのうちの少なくとも1つと、ACKおよびNACKのうちの少なくとも1つとをアップリンクサブフレームにマッピングし、図16に示されたUCI送信フォーマットが、形成され得る。この実施形態において、図16に示されたUCI送信フォーマットは、UCIをアップリンクサブフレームにマッピングするのに使用され、その後、UCIを搬送するアップリンクサブフレームが、基地局に送信される。図16が、単に説明のための例として使用されることと、本発明のこの実施形態が、図16に示されたUCI送信フォーマットに限定されないこととに留意されたい。
【０２８３】
S1004。UEが、基地局に、UCIを搬送するアップリンクサブフレームを送信する。
【０２８４】
S1005。基地局が、UEによって送信されたアップリンクサブフレームを受信する。
【０２８５】
この実施形態において、S1004およびS1005の特定の実施プロセスは、本発明の方法実施形態4におけるS404およびS405の特定の実施プロセスに類似する。詳細については、前述の実施形態における関連する説明を参照することができ、詳細を、本発明のこの実施形態において本明細書でもう一度説明することはしない。
【０２８６】
S1006。基地局が、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得する。
【０２８７】
S1007。基地局が、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得する。
【０２８８】
S1008。基地局が、第1のRE上で搬送されるCQI、PMI、およびPUSCH上のデータのうちの少なくとも1つを獲得し、第1のREは、UL DMRSを搬送せず、RIを搬送せず、ACKまたはNACKを搬送しないREである。
【０２８９】
この実施形態において、図16に示されたUCI送信フォーマットに従って、基地局は、第1のOFDMシンボル内のRE、第7のOFDMシンボル内のRE、第8のOFDMシンボル内のRE、および第9のOFDMシンボル内のRE上で搬送されるRIを獲得することができ、基地局は、第3のOFDMシンボル内のREおよび第5のOFDMシンボル内のRE上で搬送されるACKおよびNACKのうちの少なくとも1つの第1の部分と、第2のOFDMシンボルおよび第6のOFDMシンボル内のRE上で搬送されるACKおよびNACKのうちの少なくとも1つの、第1の部分を除く第2の部分とを獲得することもでき、第2のOFDMシンボル内のREおよび第6のOFDMシンボル内のREが、ACKおよびNACKを搬送しない場合には、基地局は、第2のOFDMシンボル内のREおよび第6のOFDMシンボル内のREからACKおよびNACKのうちの少なくとも1つを獲得しなくてもよく、基地局は、UL DMRSを搬送せず、RIを搬送せず、ACKまたはNACKを搬送しないREから、CQI、PMI、およびPUSCH上のデータのうちの少なくとも1つをさらに獲得することができる。
【０２９０】
S1006、S1007、およびS1008の間の実行順序が、本発明のこの実施形態において限定されないことに留意されたい。
【０２９１】
本発明のこの実施形態におけるもう1つの実現可能な実施の形において、S1001からS1003の実施プロセスは、次の通りとすることができる:UEは、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、UEは、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、UEは、第1のREにCQI、PMI、およびPUSCH上のデータのうちの少なくとも1つをマッピングし、第1のREは、UL DMRSを搬送せず、RIを搬送せず、ACKまたはNACKを搬送しないREである。
【０２９２】
本発明の実施形態10において提供されるアップリンク制御情報送信方法によれば、UCIが、アップリンクサブフレーム内のUL DMRSの位置に隣接する位置において搬送されるので、基地局によるUCI復調の性能が、改善され、これによって、データ送信レートおよびネットワークスループットが改善される。
【０２９３】
好ましくは、本発明の方法実施形態4から本発明の方法実施形態10までのいずれかの実施形態に基づいて、前述のセット順序は、データがそれに従ってアップリンクストリーム内のRE上で搬送される、アップリンクサブフレーム内の最後の搬送波から最初の搬送波まで、および各搬送波内の最初のOFDMシンボル内のREから最後のOFDMシンボル内のREまでの順序であり、データは、UCIおよびUL DMRSのうちの少なくとも1つを含む。
【０２９４】
さらに、UEは、指示情報を基地局にさらに送信することができ、指示情報は、RIとACKおよびNACKのうちの少なくとも1つとによって占められるREの、アップリンクサブフレームの時間-周波数リソースにおける位置を示すのに使用される。対応して、基地局は、UEによって送信された指示情報を受信することができ、その後、基地局は、指示情報に従って、第1のOFDMシンボル内のRE上で搬送されるRIを獲得することができ、指示情報に従って、第2のOFDMシンボル内のRE上で搬送されるACKおよびNACKのうちの少なくとも1つを獲得することもできる。
【０２９５】
さらに、時間-周波数リソースは、リソースブロック、リソースブロック対、およびリソースブロックグループというリソースのうちの少なくとも1つを含む。
【０２９６】
図17は、本発明によるアップリンク制御情報送信方法の実施形態11の流れ図である。図17に示されているように、この実施形態における方法は、UEによって実行され得る。この実施形態における方法は、以下のステップを含むことができる。
【０２９７】
S1101。UEが、基地局によって送信されたトリガ情報を受信し、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０２９８】
S1102。トリガ情報に従い、第2のUL DMRSパターンに従って、UEが、UCIを第2のアップリンクサブフレームにマッピングし、第2のアップリンクサブフレームを基地局に送信する。
【０２９９】
この実施形態において、1つのアップリンクサブフレームは、14個のOFDMシンボル内にREを含むことができる。いくつかのアプリケーションシナリオにおいて、UEによって基地局に送信されるUL DMRSの量を、正しく減らすことができる。たとえば、第1のUL DMRSパターンにおいて、第1のアップリンクサブフレーム内の1つのOFDMシンボル内のREが、UL DMRSを搬送するのに使用され(図18に示されているように)、あるいは、第1のアップリンクサブフレーム内の2つのOFDMシンボル内のいくつかのREが、UL DMRSを搬送するのに使用される、すなわち、この2つのOFDMシンボルの各シンボルが、UL DMRSを搬送するのに使用されるいくつかのREを有する(図19に示されているように)。この実施形態における第1のUL DMRSパターンを、UL DMRSオーバーヘッド削減パターンとすることができる。第1のUL DMRSパターンにおいて、第1のアップリンクサブフレーム内の2つのOFDMシンボル内のいくつかのREが、UL DMRSを搬送するのに使用される場合に、UL DMRSによって占められる2つのOFDMシンボル内にあり、UL DMRSを搬送しないREが、空であることに留意されたい。しかし、たとえば、いくつかの他のアプリケーションシナリオにおいて、第2のUL DMRSパターン内で、第2のアップリンクサブフレーム内の2つのOFDMシンボル内のすべてのREが、UL DMRSを搬送するのに使用される(図20に示されているように)。この実施形態における第2のUL DMRSパターンを、ノーマルUL DMRSパターンとすることができる。たとえば、UEのサービングセルがスモールセルである時に、UEは、基地局に送信されるUL DMRSの量を正しく減らすことができ、アップリンクサブフレームは、第1のUL DMRSパターンに従って送信される第1のアップリンクサブフレームとすることができる。UEのサービングセルがマクロセルである時に、アップリンクサブフレームは、第2のUL DMRSパターンに従って送信される第2のアップリンクサブフレームである。図18、図19、および図20が、単に説明のための例として使用されることと、本発明のこの実施形態が、図18および図19に示された第1のUL DMRSパターンに従って送信される第1のアップリンクサブフレームに限定されず、図20に示された第2のUL DMRSパターンに従って送信される第2のアップリンクサブフレームにも限定されないこととに留意されたい。
【０３００】
この実施形態において、UEが、第1のUL DMRSパターンに従って基地局に第1のアップリンクサブフレームを送信しようとしている時に、UEが、基地局にUCIを送信する必要がある場合には、基地局は、トリガ情報をUEに送信し、このトリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用され、したがって、このトリガ情報を受信した後に、このトリガ情報に従い、第2のUL DMRSパターンに従って、UEは、UCIを第2のアップリンクサブフレームにマッピングし、第2のアップリンクサブフレームを基地局に送信する、すなわち、UEは、2つのOFDMシンボル内のすべてのREがUL DMRSを搬送するのに使用されるアップリンクサブフレーム内の2つのOFDMシンボルに隣接する位置にUCIをマッピングし、そのアップリンクサブフレームを基地局に送信する。
【０３０１】
たとえば、図1に示されたUCI送信フォーマットを、本発明のこの実施形態において形成することができる。この実施形態において、図1に示されたUCI送信フォーマットは、UCIをアップリンクサブフレームにマッピングするのに使用され、その後、UCIを搬送するアップリンクサブフレームが、基地局に送信される。
【０３０２】
本発明の実施形態11において提供されるアップリンク情報送信方法によれば、UEは、基地局によって送信されたトリガ情報を受信し、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用され、トリガ情報に従い、第2のUL DMRSパターンに従って、UEは、UCIを第2のアップリンクサブフレームにマッピングし、第2のアップリンクサブフレームを基地局に送信し、この形で、基地局に送信されるUCIは、2つのOFDMシンボル内のすべてのREがUL DMRSを搬送するのに使用されるアップリンクサブフレーム内で搬送され、UCIは、2つのOFDMシンボルに隣接する位置において搬送され、これによって、基地局によるUCIの復調の性能が改善され、データ送信レートおよびネットワークスループットが改善される。
【０３０３】
図21は、本発明によるアップリンク制御情報送信方法の実施形態12の流れ図である。図21に示されているように、この実施形態における方法は、ネットワーク側デバイス(たとえば、基地局)によって実行され得る。この実施形態における方法は、以下のステップを含むことができる。
【０３０４】
S1201。基地局が、UEにトリガ情報を送信し、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０３０５】
S1202。基地局が、第2のUL DMRSパターンに従ってUEによって送信された第2のアップリンクサブフレームを受信する。
【０３０６】
S1203。基地局が、第2のUL DMRSパターンに従って、第2のアップリンクサブフレーム内で搬送されるUCIを獲得する。
【０３０７】
この実施形態において、1つのアップリンクサブフレームは、14個のOFDMシンボル内にREを含むことができる。いくつかのアプリケーションシナリオにおいて、UEによって基地局に送信されるUL DMRSの量を、正しく減らすことができる。たとえば、第1のUL DMRSパターンにおいて、第1のアップリンクサブフレーム内の1つのOFDMシンボル内のREが、UL DMRSを搬送するのに使用され(図18に示されているように)、あるいは、第1のアップリンクサブフレーム内の2つのOFDMシンボル内のいくつかのREが、UL DMRSを搬送するのに使用される、すなわち、この2つのOFDMシンボルの各シンボルが、UL DMRSを搬送するのに使用されるいくつかのREを有する(図19に示されているように)。この実施形態における第1のUL DMRSパターンを、UL DMRSオーバーヘッド削減パターンとすることができる。第1のUL DMRSパターンにおいて、第1のアップリンクサブフレーム内の2つのOFDMシンボル内のいくつかのREが、UL DMRSを搬送するのに使用される場合に、UL DMRSによって占められる2つのOFDMシンボル内にあり、UL DMRSを搬送しないREが、空であることに留意されたい。しかし、たとえば、いくつかの他のアプリケーションシナリオにおいて、第2のUL DMRSパターン内で、第2のアップリンクサブフレーム内の2つのOFDMシンボル内のすべてのREが、UL DMRSを搬送するのに使用される(図20に示されているように)。この実施形態における第2のUL DMRSパターンを、ノーマルUL DMRSパターンとすることができる。たとえば、UEのサービングセルがスモールセルである時に、UEは、基地局に送信されるUL DMRSの量を正しく減らすことができ、アップリンクサブフレームは、第1のUL DMRSパターンに従って送信される第1のアップリンクサブフレームとすることができる。UEのサービングセルがマクロセルである時に、アップリンクサブフレームは、第2のUL DMRSパターンに従って送信される第2のアップリンクサブフレームである。図18、図19、および図20が、単に説明のための例として使用されることと、本発明のこの実施形態が、図18および図19に示された第1のUL DMRSパターンに従って送信される第1のアップリンクサブフレームに限定されず、図20に示された第2のUL DMRSパターンに従って送信される第2のアップリンクサブフレームにも限定されないこととに留意されたい。
【０３０８】
この実施形態において、UEが、第1のUL DMRSパターンに従って基地局に第1のアップリンクサブフレームを送信しようとしている時に、UEが、基地局にUCIを送信する必要がある場合には、基地局は、トリガ情報をUEに送信し、このトリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用され、したがって、このトリガ情報を受信した後に、このトリガ情報に従い、第2のUL DMRSパターンに従って、UEは、UCIを第2のアップリンクサブフレームにマッピングし、第2のアップリンクサブフレームを基地局に送信する、すなわち、UEは、2つのOFDMシンボル内のすべてのREがUL DMRSを搬送するのに使用されるアップリンクサブフレーム内の2つのOFDMシンボルに隣接する位置にUCIをマッピングし、そのアップリンクサブフレームを基地局に送信する。たとえば、UCI送信フォーマットが、図1に示されている。したがって、基地局は、第2のUL DMRSパターンに従って、すべてのREがUL DMRSを搬送するのに使用される2つのOFDMシンボルに隣接するアップリンクサブフレーム内の位置から、UEによって送信されたUCIを獲得することができる。
【０３０９】
本発明の実施形態12において提供されるアップリンク制御情報送信方法によれば、基地局は、UEにトリガ情報を送信し、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用され、基地局は、第2のUL DMRSパターンに従ってUEによって送信された第2のアップリンクサブフレームを受信し、基地局は、第2のUL DMRSパターンに従って、第2のアップリンクサブフレーム内で搬送されるUCIを獲得する。UCIが、すべてのREがUL DMRSを搬送するのに使用される2つのOFDMシンボルに隣接する位置において搬送されるので、基地局は、アップリンクサブフレーム内の2つのOFDMシンボルに隣接する位置からUCIを獲得することができ、これによって、基地局によるUCIの復調の性能が改善され、データ送信レートおよびネットワークスループットが改善される。
【０３１０】
さらに、本発明の実施形態11または実施形態12に基づいて、前述の実施形態におけるトリガ情報を、次の3つの実現可能な実施の形において実施することができる。
【０３１１】
第1の実現可能な実施の形において、トリガ情報は、ダウンリンク制御情報(Downlink Control Information、略してDCI)であり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。たとえば、トリガ情報は、基地局によってUEに送信されるUCIにマッピングされ、1ビットインジケータが、DCIにマッピングされ得、1ビットインジケータが、セット値である時には、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用され得、UEは、1ビットインジケータのセット値に従って、第1のUL DMRSパターンに従って第1のアップリンクサブフレームを送信することから第2のUL DMRSパターンに従って第2のアップリンクサブフレームを送信することに切り替える。この実施形態におけるトリガ情報は、動的DCI(dynamic DCI)内で明示的に示される。
【０３１２】
第2の実現可能な実施の形において、トリガ情報は、アップリンクサブフレームに対応するDCI指示であり、DCI指示内のチャネル状態情報(Channel State Information、略してCSI)要求(request)は、第1のUL DMRSパターンに従って第1のアップリンクサブフレームを送信することから第2のUL DMRSパターンに従って第2のアップリンクサブフレームを送信することに切り替えるようにUEをトリガするのに使用される。好ましくは、第1のUL DMRSパターンに従って第1のアップリンクサブフレームを送信することから第2のUL DMRSパターンに従って第2のアップリンクサブフレームを送信することに切り替えるようにUEをトリガするのに使用されるCSI要求は、非0値である。さらに、DCI指示は、物理ダウンリンク制御チャネル(Physical Downlink Control Channel、PDCCH)上で搬送され、PDCCHのフォーマットは、アップリンクスケジューリングに使用されるDCIフォーマットである。たとえば、アップリンクスケジューリングに使用されるDCIフォーマットは、DCIフォーマット0またはDCIフォーマット4を含む。この実施形態におけるトリガ情報は、暗黙のうちに示される。
【０３１３】
第3の実現可能な実施の形において、第1のアップリンクサブフレームは、物理アップリンク制御チャネル(Physical Uplink Control Channel、略してPUCCH)を搬送するサブフレームであり、PUCCHおよび物理アップリンク共有チャネル(Physical Uplink Shared Channel、略してPUSCH)は、第1のアップリンクサブフレーム内で同時には送信され得ず、トリガ情報は、第1のアップリンクサブフレーム内でPUSCHのスケジューリング情報を送信するようにUEに指示するのにさらに使用される。この実施形態におけるトリガ情報は、暗黙のうちに示される。
【０３１４】
第4の実現可能な実施の形において、第2のアップリンクサブフレームは、PUCCHを搬送するサブフレームであり、PUCCHおよびPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。この実施形態におけるトリガ情報は、暗黙のうちに示される。
【０３１５】
図22は、本発明によるUEの実施形態1の概略構造図である。図22に示されているように、この実施形態において、第1のアップリンク復調参照信号UL DMRSパターンにおいて、アップリンクサブフレーム内の1つの直交周波数分割多重OFDMシンボル内のリソース要素REが、UL DMRSを搬送するのに使用される。この実施形態におけるUEは、搬送ユニット11および送信ユニット12を含むことができる。搬送ユニット11は、第1のUL DMRSパターンに従ってアップリンクサブフレーム内のREにアップリンク制御情報UCIをマッピングするように構成され、UCIを搬送するREが配置されるOFDMシンボルは、UL DMRSを搬送するREが配置されるOFDMシンボルに隣接する。送信ユニット12は、基地局に、UCIを搬送する、搬送ユニット11によって入手されたアップリンクサブフレームを送信するように構成される。
【０３１６】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０３１７】
本発明のUEの実施形態2において、この実施形態におけるUEは、図22に示された装置構造に基づく。さらに、UL DMRSは、アップリンクサブフレーム内の第4のOFDMシンボル内のRE上で搬送され、アップリンクサブフレームは、14個のOFDMシンボルを含む。
【０３１８】
アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０３１９】
UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０３２０】
一態様において、搬送ユニット11は、第1のOFDMシンボル内のREにRIをマッピングし、第2のOFDMシンボル内のREにACKおよびNACKのうちの少なくとも1つをマッピングし、第1のREにCQI、PMI、およびPUSCH上のデータのうちの少なくとも1つをマッピングするように特に構成され、第1のREは、UL DMRSを搬送せず、RIを搬送せず、ACKまたはNACKを搬送しないREである。
【０３２１】
この態様の第1の実現可能な実施の形において、搬送ユニット11は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内および第7のシンボル内にある、RIを搬送しないREに、ACKおよびNACKのうちの少なくとも1つの、第1の部分を除く第2の部分第1の部分をマッピングするように特に構成される。
【０３２２】
この態様の第2の実現可能な実施の形において、搬送ユニット11は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングするように特に構成される。
【０３２３】
この態様の第3の実現可能な実施の形において、搬送ユニット11は、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングするように特に構成される。
【０３２４】
この態様の第4の実現可能な実施の形において、搬送ユニット11は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０３２５】
この態様の第5の実現可能な実施の形において、搬送ユニット11は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREに、ACKおよびNACKのうちの少なくとも1つをマッピングするように特に構成される。
【０３２６】
この態様の第6の実現可能な実施の形において、搬送ユニット11は、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０３２７】
もう1つの態様において、搬送ユニット11は、第1のOFDMシンボル内のREにRIをマッピングし、UL DMRSおよびRIのいずれをも搬送しないREにCQI、PMI、およびPUSCH上のデータのうちの少なくとも1つをマッピングし、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするように特に構成される。
【０３２８】
このもう1つの態様の第1の可能な実施の形において、搬送ユニット11は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレームの第1のOFDMシンボル内および第7のシンボル内にあり、RIを搬送しない、REに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０３２９】
このもう1つの態様の第2の可能な実施の形において、搬送ユニット11は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０３３０】
このもう1つの態様の第3の可能な実施の形において、搬送ユニット11は、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きするように特に構成される。
【０３３１】
このもう1つの態様の第4の可能な実施の形において、搬送ユニット11は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３３２】
このもう1つの態様の第5の可能な実施の形において、搬送ユニット11は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３３３】
このもう1つの態様の第6の可能な実施の形において、搬送ユニット11は、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３３４】
好ましくは、セット順序は、データがそれに従ってアップリンクサブフレーム内のRE上で搬送される、アップリンクサブフレーム内の最後の搬送波から最初の搬送波へおよび各搬送波内の最初のOFDMシンボル内のREから最後のOFDMシンボル内のREへの順序であり、データは、UCIおよびUL DMRSのうちの少なくとも1つを含む。
【０３３５】
オプションで、送信ユニット12は、指示情報を基地局に送信するようにさらに構成され、指示情報は、RIとACKおよびNACKのうちの少なくとも1つとによって占められるREの、アップリンクサブフレームの時間-周波数リソース内の位置を示すのに使用される。
【０３３６】
さらに、時間-周波数リソースは、リソースブロック、リソースブロック対、およびリソースブロックグループというリソースのうちの少なくとも1つを含む。
【０３３７】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０３３８】
図23は、本発明によるUEの実施形態3の概略構造図である。図23に示されているように、この実施形態において、第1のアップリンク復調参照信号UL DMRSパターンにおいて、アップリンクサブフレーム内の1つの直交周波数分割多重OFDMシンボル内のREが、UL DMRSを搬送するのに使用される。この実施形態におけるUEは、プロセッサ21および送信器22を含むことができる。プロセッサ21は、第1のUL DMRSパターンに従ってアップリンクサブフレーム内のREにアップリンク制御情報UCIをマッピングするように構成され、UCIを搬送するREが配置されるOFDMシンボルは、UL DMRSを搬送するREが配置されるOFDMシンボルに隣接する。送信器22は、基地局に、UCIを搬送する、プロセッサ21によって入手されたアップリンクサブフレームを送信するように構成される。
【０３３９】
さらに、UL DMRSは、アップリンクサブフレーム内の第4のOFDMシンボル内のRE上で搬送され、アップリンクサブフレームは、14個のOFDMシンボルを含む。
【０３４０】
アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０３４１】
UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０３４２】
一態様において、プロセッサ21は、第1のOFDMシンボル内のREにRIをマッピングし、第2のOFDMシンボル内のREにACKおよびNACKのうちの少なくとも1つをマッピングし、第1のREにCQI、PMI、およびPUSCH上のデータのうちの少なくとも1つをマッピングするように特に構成され、第1のREは、UL DMRSを搬送せず、RIを搬送せず、ACKまたはNACKを搬送しないREである。
【０３４３】
この態様の第1の実現可能な実施の形において、プロセッサ21は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内および第7のシンボル内にある、RIを搬送しないREに、ACKおよびNACKのうちの少なくとも1つの、第1の部分を除く第2の部分第1の部分をマッピングするように特に構成される。
【０３４４】
この態様の第2の実現可能な実施の形において、プロセッサ21は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングするように特に構成される。
【０３４５】
この態様の第3の実現可能な実施の形において、プロセッサ21は、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングするように特に構成される。
【０３４６】
この態様の第4の実現可能な実施の形において、プロセッサ21は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０３４７】
この態様の第5の実現可能な実施の形において、プロセッサ21は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREに、ACKおよびNACKのうちの少なくとも1つをマッピングするように特に構成される。
【０３４８】
この態様の第6の実現可能な実施の形において、プロセッサ21は、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングするように特に構成される。
【０３４９】
もう1つの態様において、プロセッサ21は、第1のOFDMシンボル内のREにRIをマッピングし、UL DMRSおよびRIのいずれをも搬送しないREにCQI、PMI、およびPUSCH上のデータのうちの少なくとも1つをマッピングし、第2のOFDMシンボル内のREにACKおよびNACKのうちの少なくとも1つをマッピングし、第2のOFDMシンボル内のRE上で搬送されるCQI、PMI、およびPUSCH上のデータのうちの少なくとも1つを上書きするように特に構成される。
【０３５０】
このもう1つの態様の第1の実現可能な実施の形において、プロセッサ21は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレームの第1のOFDMシンボル内および第7のシンボル内にあり、RIを搬送しない、REに、ACKおよびNACKのうちの少なくとも1つの、第1の部分を除く第2の部分をマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０３５１】
このもう1つの態様の第2の実現可能な実施の形において、プロセッサ21は、セット順序に従って、アップリンクサブフレーム内の第2のOFDMシンボル内のREおよびアップリンクサブフレーム内の第6のOFDMシンボル内のREにRIの第1の部分をまずマッピングし、その後、アップリンクサブフレーム内の第1のOFDMシンボル内のREおよびアップリンクサブフレーム内の第7のOFDMシンボル内のREに、RIの、第1の部分を除く第2の部分をマッピングし、セット順序に従って、アップリンクサブフレーム内の第1のOFDMシンボル内にあり、RIを搬送しないRE、アップリンクサブフレーム内の第3のOFDMシンボル内にあり、RIを搬送しないRE、アップリンクサブフレーム内の第5のOFDMシンボル内にあり、RIを搬送しないRE、およびアップリンクサブフレーム内の第7のOFDMシンボル内にあり、RIを搬送しないREにACKおよびNACKのうちの少なくとも1つをマッピングし、第1のOFDMシンボル内のRE、第3のOFDMシンボル内のRE、第5のOFDMシンボル内のRE、および第7のOFDMシンボル内のRE上で搬送されるCQI、PMI、およびPUSCH上のデータのうちの少なくとも1つを上書きするように特に構成される。
【０３５２】
このもう1つの態様の第3の実現可能な実施の形において、プロセッサ21は、セット順序に従って、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第1のOFDMシンボル内にあり、RIを搬送しないRE、アップリンクサブフレーム内の第2のOFDMシンボル内にあり、RIを搬送しないRE、アップリンクサブフレーム内の第6のOFDMシンボル内にあり、RIを搬送しないRE、およびアップリンクサブフレーム内の第7のOFDMシンボル内にあり、RIを搬送しないREに、ACKおよびNACKのうちの少なくとも1つの、第1の部分を除く第2の部分をマッピングし、第1のOFDMシンボル内のRE、第2のOFDMシンボル内のRE、第3のOFDMシンボル内のRE、第5のOFDMシンボル内のRE、第6のOFDMシンボル内のRE、および第7のOFDMシンボル内のRE上で搬送されるCQI、PMI、およびPUSCH上のデータのうちの少なくとも1つを上書きするように特に構成される。
【０３５３】
このもう1つの態様の第4の実現可能な実施の形において、プロセッサ21は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３５４】
このもう1つの態様の第5の実現可能な実施の形において、プロセッサ21は、セット順序に従って、アップリンクサブフレーム内の第1のOFDMシンボル内のREおよびアップリンクサブフレーム内の第7のOFDMシンボル内のREにRIの第1の部分をまずマッピングし、その後、アップリンクサブフレーム内の第8のOFDMシンボル内のREおよびアップリンクサブフレーム内の第9のOFDMシンボル内のREに、RIの、第1の部分を除く第2の部分をマッピングし、セット順序に従って、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のREにACKおよびNACKのうちの少なくとも1つをマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３５５】
このもう1つの態様の第6の実現可能な実施の形において、プロセッサ21は、セット順序に従って、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のREにRIをマッピングし、セット順序に従って、アップリンクサブフレーム内の第3のOFDMシンボル内のREおよびアップリンクサブフレーム内の第5のOFDMシンボル内のREにACKおよびNACKのうちの少なくとも1つの第1の部分をまずマッピングし、その後、アップリンクサブフレーム内の第2のOFDMシンボル内のREおよびアップリンクサブフレーム内の第6のOFDMシンボル内のREに、ACKおよびNACKのうちの少なくとも1つの、第1の部分を除く第2の部分をマッピングし、第2のOFDMシンボル内のRE、第3のOFDMシンボル内のRE、第5のOFDMシンボル内のRE、および第6のOFDMシンボル内のRE上で搬送されるCQI、PMI、およびPUSCH上のデータのうちの少なくとも1つを上書きするように特に構成される。
【０３５６】
好ましくは、セット順序は、データがそれに従ってアップリンクサブフレーム内のRE上で搬送される、アップリンクサブフレーム内の最後の搬送波から最初の搬送波へおよび各搬送波内の最初のOFDMシンボル内のREから最後のOFDMシンボル内のREへの順序であり、データは、UCIおよびUL DMRSのうちの少なくとも1つを含む。
【０３５７】
オプションで、送信器22は、指示情報を基地局に送信するようにさらに構成され、指示情報は、RIとACKおよびNACKのうちの少なくとも1つとによって占められるREの、アップリンクサブフレームの時間-周波数リソース内の位置を示すのに使用される。
【０３５８】
さらに、時間-周波数リソースは、リソースブロック、リソースブロック対、およびリソースブロックグループというリソースのうちの少なくとも1つを含む。
【０３５９】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０３６０】
図24は、本発明による基地局の実施形態1の概略構造図である。図24に示されているように、この実施形態において、第1のアップリンク復調参照信号UL DMRSパターンにおいて、アップリンクサブフレーム内の1つの直交周波数分割多重OFDMシンボル内のREが、UL DMRSを搬送するのに使用される。この実施形態における基地局は、受信ユニット31および獲得ユニット32を含むことができる。受信ユニット31は、ユーザ機器UEによって送信されたアップリンクサブフレームを受信するように構成され、アップリンクサブフレーム内のリソース要素REは、第1のアップリンク復調参照信号UL DMRSパターンに従ってアップリンク制御情報UCIを搬送し、UCIを搬送するREが配置されるOFDMシンボルは、UL DMRSを搬送するREが配置されるOFDMシンボルに隣接する。獲得ユニット32は、第1のUL DMRSパターンに従って、受信ユニット31によって受信されたアップリンクサブフレーム内で搬送されるUCIを獲得するように構成される。
【０３６１】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０３６２】
本発明の基地局の実施形態2において、この実施形態における基地局は、図24に示された装置構造に基づく。さらに、UL DMRSは、アップリンクサブフレーム内の第4のOFDMシンボル内のRE上で搬送され、アップリンクサブフレームは、14個のOFDMシンボル内にREを含む。
【０３６３】
アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０３６４】
UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０３６５】
さらに、獲得ユニット32は、第1のOFDMシンボル内のRE上で搬送されるRIを獲得し、第2のOFDMシンボル内のRE上で搬送されるACKおよびNACKのうちの少なくとも1つを獲得し、第1のRE上で搬送されるCQI、PMI、およびPUSCH上のデータのうちの少なくとも1つを獲得するように特に構成され、第1のREは、UL DMRSを搬送せず、RIを搬送せず、ACKまたはNACKを搬送しないREである。
【０３６６】
第1の実現可能な実施の形において、獲得ユニット32は、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得するように特に構成される。
【０３６７】
第2の実現可能な実施の形において、獲得ユニット32は、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得するように特に構成される。
【０３６８】
第3の実現可能な実施の形において、獲得ユニット32は、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得するように特に構成される。
【０３６９】
第4の実現可能な実施の形において、獲得ユニット32は、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得するように特に構成される。
【０３７０】
第5の実現可能な実施の形において、獲得ユニット32は、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得するように特に構成される。
【０３７１】
第6の実現可能な実施の形において、獲得ユニット32は、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内にある第2のOFDMシンボルおよび第6のOFDMシンボル内のRE上で搬送されるACKおよびNACKのうちの少なくとも1つの、第1の部分を除く第2の部分とを獲得するように特に構成される。
【０３７２】
オプションで、受信ユニット31は、UEによって送信された指示情報を受信するようにさらに構成され、指示情報は、RIとACKおよびNACKのうちの少なくとも1つとによって占められるREの、アップリンクサブフレームの時間-周波数リソース内の位置を示すのに使用され、獲得ユニット32は、受信ユニット31によって受信された指示情報に従って、第1のOFDMシンボル内のRE上で搬送されるRIを獲得し、受信ユニットによって受信された指示情報に従って、第2のOFDMシンボル内のRE上で搬送されるACKおよびNACKのうちの少なくとも1つを獲得するように特に構成される。
【０３７３】
さらに、時間-周波数リソースは、リソースブロック、リソースブロック対、およびリソースブロックグループというリソースのうちの少なくとも1つを含む。
【０３７４】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０３７５】
図25は、本発明による基地局の実施形態3の概略構造図である。図25に示されているように、この実施形態において、第1のアップリンク復調参照信号UL DMRSパターンにおいて、アップリンクサブフレーム内の1つの直交周波数分割多重OFDMシンボル内のREが、UL DMRSを搬送するのに使用される。この実施形態における基地局は、受信器41およびプロセッサ42を含むことができる。受信器41は、ユーザ機器UEによって送信されたアップリンクサブフレームを受信するように構成され、アップリンクサブフレーム内のリソース要素REは、第1のアップリンク復調参照信号UL DMRSパターンに従ってアップリンク制御情報UCIを搬送し、UCIを搬送するREが配置されるOFDMシンボルは、UL DMRSを搬送するREが配置されるOFDMシンボルに隣接する。プロセッサ42は、第1のUL DMRSパターンに従って、受信器によって受信されたアップリンクサブフレーム内で搬送されるUCIを獲得するように構成される。
【０３７６】
さらに、UL DMRSは、アップリンクサブフレーム内の第4のOFDMシンボル内のRE上で搬送され、アップリンクサブフレームは、14個のOFDMシンボル内にREを含む。
【０３７７】
アップリンクサブフレーム内で、UL DMRSおよびUCIのいずれをも搬送しないREは、チャネル品質インジケータCQIと、プリコーディング行列表示PMIと、物理アップリンク共有チャネルPUSCH上のデータとのうちの少なくとも1つをさらに搬送する。
【０３７８】
UCIは、ランク表示RIと、肯定応答ACKおよび否定応答NACKのうちの少なくとも1つとを含み、アップリンクサブフレーム内で、RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、アップリンクサブフレーム内で、ACKおよびNACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される。
【０３７９】
さらに、プロセッサ42は、第1のOFDMシンボル内のRE上で搬送されるRIを獲得し、第2のOFDMシンボル内のRE上で搬送されるACKおよびNACKのうちの少なくとも1つを獲得し、第1のRE上で搬送されるCQI、PMI、およびPUSCH上のデータのうちの少なくとも1つを獲得するように特に構成され、第1のREは、UL DMRSを搬送せず、RIを搬送せず、ACKまたはNACKを搬送しないREである。
【０３８０】
第1の実現可能な実施の形において、プロセッサ42は、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のREおよびアップリンクサブフレーム内の第7のOFDMシンボル内のRE上で搬送されるACKおよびNACKのうちの少なくとも1つの、第1の部分を除く第2の部分とを獲得するように特に構成される。
【０３８１】
第2の実現可能な実施の形において、プロセッサ42は、アップリンクサブフレーム内の第2のOFDMシンボル内のREおよびアップリンクサブフレーム内の第6のOFDMシンボル内のRE上で搬送されるRIの第1の部分と、アップリンクサブフレーム内の第1のOFDMシンボル内のREおよびアップリンクサブフレーム内の第7のOFDMシンボル内のRE上で搬送されるRIの、第1の部分を除く第2の部分とを獲得し、アップリンクサブフレーム内の第1のOFDMシンボル内のRE、アップリンクサブフレーム内の第3のOFDMシンボル内のRE、アップリンクサブフレーム内の第5のOFDMシンボル内のRE、およびアップリンクサブフレーム内の第7のOFDMシンボル内のRE上で搬送されるACKおよびNACKのうちの少なくとも1つを獲得するように特に構成される。
【０３８２】
第3の実現可能な実施の形において、プロセッサ42は、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第1のOFDMシンボル内のRE、アップリンクサブフレーム内の第2のOFDMシンボル内のRE、アップリンクサブフレーム内の第6のOFDMシンボル内のRE、およびアップリンクサブフレーム内の第7のOFDMシンボル内のRE上で搬送されるACKおよびNACKのうちの少なくとも1つの、第1の部分を除く第2の部分とを獲得するように特に構成される。
【０３８３】
第4の実現可能な実施の形において、プロセッサ42は、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内の第2のOFDMシンボル内のREおよびアップリンクサブフレーム内の第6のOFDMシンボル内のRE上で搬送されるACKおよびNACKのうちの少なくとも1つの、第1の部分を除く第2の部分とを獲得するように特に構成される。
【０３８４】
第5の実現可能な実施の形において、プロセッサ42は、アップリンクサブフレーム内の第1のOFDMシンボル内のREおよびアップリンクサブフレーム内の第7のOFDMシンボル内のRE上で搬送されるRIの第1の部分と、アップリンクサブフレーム内の第8のOFDMシンボル内のREおよびアップリンクサブフレーム内の第9のOFDMシンボル内のRE上で搬送されるRIの、第1の部分を除く第2の部分とを獲得し、アップリンクサブフレーム内の第2のOFDMシンボル内のRE、アップリンクサブフレーム内の第3のOFDMシンボル内のRE、アップリンクサブフレーム内の第5のOFDMシンボル内のRE、およびアップリンクサブフレーム内の第6のOFDMシンボル内のRE上で搬送されるACKおよびNACKのうちの少なくとも1つを獲得するように特に構成される。
【０３８５】
第6の実現可能な実施の形において、プロセッサ42は、アップリンクサブフレーム内の第1のOFDMシンボル内のRE、アップリンクサブフレーム内の第7のOFDMシンボル内のRE、アップリンクサブフレーム内の第8のOFDMシンボル内のRE、およびアップリンクサブフレーム内の第9のOFDMシンボル内のRE上で搬送されるRIを獲得し、アップリンクサブフレーム内の第3のOFDMシンボル内のREおよびアップリンクサブフレーム内の第5のOFDMシンボル内のRE上で搬送されるACKおよびNACKのうちの少なくとも1つの第1の部分と、アップリンクサブフレーム内にある第2のOFDMシンボルおよび第6のOFDMシンボル内のRE上で搬送されるACKおよびNACKのうちの少なくとも1つの、第1の部分を除く第2の部分とを獲得する。
【０３８６】
オプションで、受信器41は、UEによって送信された指示情報を受信するようにさらに構成され、指示情報は、RIとACKおよびNACKのうちの少なくとも1つとによって占められるREの、アップリンクサブフレームの時間-周波数リソース内の位置を示すのに使用され、プロセッサ42は、受信器41によって受信された指示情報に従って、第1のOFDMシンボル内のRE上で搬送されるRIを獲得し、受信器41によって受信された指示情報に従って、第2のOFDMシンボル内のRE上で搬送されるACKおよびNACKのうちの少なくとも1つを獲得するように特に構成される。
【０３８７】
さらに、時間-周波数リソースは、リソースブロック、リソースブロック対、およびリソースブロックグループというリソースのうちの少なくとも1つを含む。
【０３８８】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０３８９】
図26は、本発明によるUEの実施形態4の概略構造図である。図26に示されているように、この実施形態において、第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のアップリンクUL DMRSパターンにおいて、第2のアップリンクサブフレーム内の2つのOFDMシンボル内のすべてのREが、UL DMRSを搬送するのに使用される。この実施形態におけるUEは、受信ユニット51および送信ユニット52を含むことができる。受信ユニット51は、基地局によって送信されたトリガ情報を受信するように構成され、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。送信ユニット52は、受信ユニット51によって受信されたトリガ情報に従い、第2のUL DMRSパターンに従って、アップリンク制御情報UCIを第2のアップリンクサブフレームにマッピングし、第2のアップリンクサブフレームを基地局に送信するように構成される。
【０３９０】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０３９１】
本発明のUEの実施形態5において、この実施形態における装置は、図26に示された装置構造に基づく。第1の実現可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０３９２】
第2の実現可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０３９３】
さらに、DCI指示は、物理ダウンリンク制御チャネルPDCCH上で搬送され、PDCCHのフォーマットは、アップリンクスケジューリングに使用されるDCIフォーマットである。
【０３９４】
さらに、アップリンクスケジューリングに使用されるDCIフォーマットは、DCIフォーマット0またはDCIフォーマット4を含む。
【０３９５】
第3の実現可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０３９６】
第4の実現可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０３９７】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０３９８】
図27は、本発明によるUEの実施形態6の概略構造図である。図27に示されているように、この実施形態において、第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。この実施形態におけるUEは、受信器61および送信器62を含むことができる。受信器61は、基地局によって送信されたトリガ情報を受信するように構成され、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。送信器62は、受信器61によって受信されたトリガ情報に従い、第2のUL DMRSパターンに従って、アップリンク制御情報UCIを第2のアップリンクサブフレームにマッピングし、第2のアップリンクサブフレームを基地局に送信するように構成される。
【０３９９】
さらに、第1の実現可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４００】
第2の実現可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４０１】
さらに、DCI指示は、物理ダウンリンク制御チャネルPDCCH上で搬送され、PDCCHのフォーマットは、アップリンクスケジューリングに使用されるDCIフォーマットである。
【０４０２】
さらに、アップリンクスケジューリングに使用されるDCIフォーマットは、DCIフォーマット0またはDCIフォーマット4を含む。
【０４０３】
第3の実現可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０４０４】
第4の実現可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０４０５】
この実施形態におけるUEは、本発明の前述の方法実施形態においてUEによって実行される技術的解決策を実行するように構成され得、UEの実施原理および技術的効果は、同様である。詳細については、本発明の前述の方法実施形態における関連する説明を参照することができ、これを本明細書でもう一度説明することはしない。
【０４０６】
図28は、本発明による基地局の実施形態4の概略構造図である。図28に示されているように、この実施形態において、第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。この実施形態における基地局は、送信ユニット71、受信ユニット72、および獲得ユニット73を含むことができる。送信ユニット71は、ユーザ機器UEにトリガ情報を送信するように構成され、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。受信ユニット72は、第2のUL DMRSパターンに従ってUEによって送信された第2のアップリンクサブフレームを受信するように構成される。獲得ユニット73は、第2のUL DMRSパターンに従って、受信ユニットによって受信された第2のアップリンクサブフレーム内で搬送されるUCIを獲得するように構成される。
【０４０７】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０４０８】
本発明の基地局の実施形態5において、この実施形態における基地局は、図28に示された装置構造に基づく。第1の実現可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４０９】
第2の実現可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４１０】
さらにDCI指示は、物理ダウンリンク制御チャネルPDCCH上で搬送され、PDCCHのフォーマットは、アップリンクスケジューリングに使用されるDCIフォーマットである。
【０４１１】
さらに、アップリンクスケジューリングに使用されるDCIフォーマットは、DCIフォーマット0またはDCIフォーマット4を含む。
【０４１２】
第3の実現可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０４１３】
第4の実現可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０４１４】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０４１５】
図29は、本発明による基地局の実施形態6の概略構造図である。図29に示されているように、この実施形態において、第1のアップリンク復調参照信号UL DMRSパターンにおいて、第1のアップリンクサブフレーム内の1つの直交周波数分割多重OFDMシンボル内のリソース要素REが、UL DMRSを搬送するのに使用され、あるいは、第1のアップリンクサブフレーム内の2つのOFDMシンボル内のいくつかのREが、UL DMRSを搬送するのに使用され、第2のUL DMRSパターンにおいて、第2のアップリンクサブフレーム内の2つのOFDMシンボル内のすべてのREが、UL DMRSを搬送するのに使用される。この実施形態における基地局は、送信器81、受信器82、およびプロセッサ83を含むことができる。送信器81は、ユーザ機器UEにトリガ情報を送信するように構成され、トリガ情報は、第1のUL DMRSパターンに従って第1のアップリンクサブフレームを送信することから第2のUL DMRSパターンに従って第2のアップリンクサブフレームを送信することに切り替えるようにUEをトリガするのに使用される。受信器82は、第2のUL DMRSパターンに従ってUEによって送信された第2のアップリンクサブフレームを受信するように構成される。プロセッサ83は、第2のUL DMRSパターンに従って、受信器によって受信された第2のアップリンクサブフレーム内で搬送されるUCIを獲得するように構成される。
【０４１６】
さらに、第1の実現可能な実施の形において、トリガ情報は、ダウンリンク制御情報DCIであり、DCIは、1ビットインジケータを含み、1ビットインジケータは、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４１７】
第2の実現可能な実施の形において、トリガ情報は、アップリンクサブフレームに対応するDCI指示であり、DCI指示内のチャネル状態情報要求CSI要求は、第1のUL DMRSパターンに従って第1のアップリンクサブフレームを送信することから第2のUL DMRSパターンに従って第2のアップリンクサブフレームを送信することに切り替えるようにUEをトリガするのに使用される。
【０４１８】
さらに、DCI指示は、物理ダウンリンク制御チャネルPDCCH上で搬送され、PDCCHのフォーマットは、アップリンクスケジューリングに使用されるDCIフォーマットである。
【０４１９】
さらに、アップリンクスケジューリングに使用されるDCIフォーマットは、DCIフォーマット0またはDCIフォーマット4を含む。
【０４２０】
第3の実現可能な実施の形において、第1のアップリンクサブフレームは、物理アップリンク制御チャネルPUCCHを搬送するサブフレームであり、PUCCHおよび物理アップリンク共有チャネルPUSCHは、第1のアップリンクサブフレーム内で同時には送信され得ず、トリガ情報は、第1のアップリンクサブフレーム内でPUSCHのスケジューリング情報を送信するようにUEに指示するのにさらに使用される。
【０４２１】
第4の実現可能な実施の形において、第2のアップリンクサブフレームは、物理アップリンク制御チャネルPUCCHを搬送するサブフレームであり、PUCCHおよび物理アップリンク共有チャネルPUSCHは、第2のアップリンクサブフレーム内で同時には送信され得ず、トリガ情報は、第2のアップリンクサブフレーム内でPUSCHのスケジューリング情報を送信するようにUEに指示するのにさらに使用される。
【０４２２】
この実施形態における基地局は、本発明の前述の方法実施形態において基地局によって実行される技術的解決策を実行するように構成され得、基地局の実施原理および技術的効果は、同様である。詳細については、本発明の前述の方法実施形態における関連する説明を参照することができ、これを本明細書でもう一度説明することはしない。
【０４２３】
当業者は、方法実施形態のステップのすべてまたは一部を、関連ハードウェアに指示するプログラムによって実施できることを理解することができる。プログラムは、コンピュータ可読記憶媒体内に記憶され得る。プログラムが走行する時に、方法実施形態のステップが実行される。前述の記憶媒体は、ROM、RAM、磁気ディスク、または光ディスクなど、プログラムコードを記憶することができるすべての媒体を含む。
【０４２４】
最後に、前述の実施形態が、単に、本発明の技術的解決策を説明するためのものであって、本発明を限定するためのものではないことに留意されたい。本発明が、前述の実施形態に関連して詳細に説明されるが、当業者は、本発明の実施形態の技術的解決策の範囲から逸脱せずに、前述の実施形態において説明された技術的解決策に対する変更を行い、またはその技術的特徴の一部またはすべてに対する同等の置換を行うことができることを理解するに違いない。
【符号の説明】
【０４２５】
11  搬送ユニット
12  送信ユニット
21  プロセッサ
22  送信器
31  受信ユニット
32  獲得ユニット
41  受信器
42  プロセッサ
51  受信ユニット
52  送信ユニット
61  受信器
62  送信器
71  送信ユニット
72  受信ユニット
73  獲得ユニット
81  送信器
82  受信器
83  プロセッサ
【図１】
2016527758.tif 000003
【図２】
2016527758.tif 000004
【図３】
2016527758.tif 000005
【図４】
2016527758.tif 000006
【図５】
2016527758.tif 000007
【図６】
2016527758.tif 000008
【図７】
2016527758.tif 000009
【図８】
2016527758.tif 000010
【図９】
2016527758.tif 000011
【図１０】
2016527758.tif 000012
【図１１】
2016527758.tif 000013
【図１２】
2016527758.tif 000014
【図１３】
2016527758.tif 000015
【図１４】
2016527758.tif 000016
【図１５】
2016527758.tif 000017
【図１６】
2016527758.tif 000018
【図１７】
2016527758.tif 000019
【図１８】
2016527758.tif 000020
【図１９】
2016527758.tif 000021
【図２０】
2016527758.tif 000022
【図２１】
2016527758.tif 000023
【図２２】
2016527758.tif 000024
【図２３】
2016527758.tif 000025
【図２４】
2016527758.tif 000026
【図２５】
2016527758.tif 000027
【図２６】
2016527758.tif 000028
【図２７】
2016527758.tif 000029
【図２８】
2016527758.tif 000030
【図２９】
2016527758.tif 000031
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
第1のアップリンク復調参照信号UL DMRSパターンにおいて、アップリンクサブフレーム内の1つの直交周波数分割多重OFDMシンボル内のリソース要素REが、前記UL DMRSを搬送するのに使用される、アップリンク制御情報送信方法であって、
ユーザ機器UEによって、前記第1のUL DMRSパターンに従って前記アップリンクサブフレーム内のREにアップリンク制御情報UCIをマッピングするステップであって、前記UCIを搬送する前記REが配置されるOFDMシンボルは、前記UL DMRSを搬送する前記REが配置される前記OFDMシンボルに隣接する、マッピングするステップと、
前記UEによって、基地局に、前記UCIを搬送する前記アップリンクサブフレームを送信するステップと
を含むみ、
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される方法。
【請求項２】
ユーザ機器UEによって、前記第1のアップリンク復調参照信号UL DMRSパターンに従って前記アップリンクサブフレーム内のリソース要素REにアップリンク制御情報UCIをマッピングする前記ステップは、
前記UEによって、前記第1のOFDMシンボル内の前記REに前記RIをマッピングするステップと、
前記UEによって、前記第2のOFDMシンボル内の前記REに前記ACKおよび前記NACKのうちの前記少なくとも1つをマッピングするステップと、
前記UEによって、第1のREに前記CQI、前記PMI、および前記PUSCH上の前記データのうちの少なくとも1つをマッピングするステップであって、前記第1のREは、UL DMRSを搬送せず、RIを搬送せず、ACKまたはNACKを搬送しないREである、マッピングするステップと
を含む、請求項1に記載の方法。
【請求項３】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内にあり、RIを搬送しない、前記第1のOFDMシンボル内および第7のシンボル内のREに、前記ACKおよび前記NACKのうちの前記少なくとも1つの、前記第1の部分を除く第2の部分をマッピングするステップ
を含む、請求項2に記載の方法。
【請求項４】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングする前記ステップは、
前記UEによって、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングするステップ
を含む、請求項2に記載の方法。
【請求項５】
ユーザ機器UEによって、前記第1のアップリンク復調参照信号UL DMRSパターンに従って前記アップリンクサブフレーム内のリソース要素REにアップリンク制御情報UCIをマッピングする前記ステップは、
前記UEによって、前記第1のOFDMシンボル内の前記REに前記RIをマッピングするステップと、
前記UEによって、UL DMRSおよびRIのいずれをも搬送しないREに前記CQI、前記PMI、および前記PUSCH上の前記データのうちの少なくとも1つをマッピングするステップと、
前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きするステップと
を含む、請求項1に記載の方法。
【請求項６】
前記UEによって、前記第1のOFDMシンボル内の前記REに前記RIをマッピングする前記ステップは、
セット順序に従って、前記UEによって、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングするステップ
を含み、前記UEによって、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きする前記ステップは、
前記UEによって、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内にあり、RIを搬送しない、前記第1のOFDMシンボルおよび前記第7のシンボル内のREに、前記ACKおよび前記NACKのうちの前記少なくとも1つの、前記第1の部分を除く第2の部分をマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするステップ
を含む、請求項5に記載の方法。
【請求項７】
第1のアップリンク復調参照信号UL DMRSパターンにおいて、アップリンクサブフレーム内の1つの直交周波数分割多重OFDMシンボル内のリソース要素REが、前記UL DMRSを搬送するのに使用される、ユーザ機器UEであって、
前記第1のUL DMRSパターンに従って前記アップリンクサブフレーム内のREにアップリンク制御情報UCIをマッピングするように構成されたプロセッサであって、前記UCIを搬送する前記REが配置されるOFDMシンボルは、前記UL DMRSを搬送する前記REが配置される前記OFDMシンボルに隣接する、プロセッサと、
基地局に、前記UCIを搬送する、前記プロセッサによって入手された前記アップリンクサブフレームを送信するように構成された送信器と
を含み、
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される、UE。
【請求項８】
前記プロセッサは、前記第1のOFDMシンボル内の前記REに前記RIをマッピングし、前記第2のOFDMシンボル内の前記REに前記ACKおよび前記NACKのうちの前記少なくとも1つをマッピングし、第1のREに前記CQI、前記PMI、および前記PUSCH上の前記データのうちの少なくとも1つをマッピングするように特に構成され、前記第1のREは、UL DMRSを搬送せず、RIを搬送せず、ACKまたはNACKを搬送しないREである、請求項7に記載のUE。
【請求項９】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内および第7のシンボル内にある、RIを搬送しないREに、前記ACKおよび前記NACKのうちの前記少なくとも1つの、前記第1の部分を除く第2の部分をマッピングするように特に構成される、請求項8に記載のUE。
【請求項１０】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングするように特に構成される、請求項8に記載のUE。
【請求項１１】
前記プロセッサは、前記第1のOFDMシンボル内の前記REに前記RIをマッピングし、UL DMRSおよびRIのいずれをも搬送しないREに前記CQI、前記PMI、および前記PUSCH上の前記データのうちの少なくとも1つをマッピングし、前記第2のOFDMシンボル内の前記REに前記ACKおよび前記NACKのうちの前記少なくとも1つをマッピングし、前記第2のOFDMシンボル内の前記RE上で搬送される前記CQI、前記PMI、および前記PUSCH上の前記データのうちの少なくとも1つを上書きするように特に構成される、請求項7に記載のUE。
【請求項１２】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレームの前記第1のOFDMシンボル内および前記第7のシンボル内にあり、RIを搬送しない、REに、前記ACKおよび前記NACKのうちの前記少なくとも1つの、前記第1の部分を除く第2の部分をマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項11に記載のUE。
【請求項１３】
前記プロセッサは、セット順序に従って、前記アップリンクサブフレーム内の前記第2のOFDMシンボル内のREおよび前記アップリンクサブフレーム内の前記第6のOFDMシンボル内のREに前記RIの第1の部分をまずマッピングし、その後、前記アップリンクサブフレーム内の前記第1のOFDMシンボル内のREおよび前記アップリンクサブフレーム内の前記第7のOFDMシンボル内のREに、前記RIの、前記第1の部分を除く第2の部分をマッピングし、前記セット順序に従って、前記アップリンクサブフレーム内の前記第1のOFDMシンボル内にあり、RIを搬送しないRE、前記アップリンクサブフレーム内の前記第3のOFDMシンボル内にあり、RIを搬送しないRE、前記アップリンクサブフレーム内の前記第5のOFDMシンボル内にあり、RIを搬送しないRE、および前記アップリンクサブフレーム内の前記第7のOFDMシンボル内にあり、RIを搬送しないREに前記ACKおよび前記NACKのうちの前記少なくとも1つをマッピングし、前記第1のOFDMシンボル内の前記RE、前記第3のOFDMシンボル内の前記RE、前記第5のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項11に記載のUE。
【請求項１４】
前記プロセッサは、セット順序に従って、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のREに前記RIをマッピングし、前記セット順序に従って、前記アップリンクサブフレーム内の前記第3のOFDMシンボル内のREおよび前記アップリンクサブフレーム内の前記第5のOFDMシンボル内のREに前記ACKおよび前記NACKのうちの前記少なくとも1つの第1の部分をまずマッピングし、その後、前記アップリンクサブフレーム内の前記第1のOFDMシンボル内にあり、RIを搬送しないRE、前記アップリンクサブフレーム内の前記第2のOFDMシンボル内にあり、RIを搬送しないRE、前記アップリンクサブフレーム内の前記第6のOFDMシンボル内にあり、RIを搬送しないRE、および前記アップリンクサブフレーム内の前記第7のOFDMシンボル内にあり、RIを搬送しないREに、前記ACKおよび前記NACKのうちの前記少なくとも1つの、前記第1の部分を除く第2の部分をマッピングし、前記第1のOFDMシンボル内の前記RE、前記第2のOFDMシンボル内の前記RE、前記第3のOFDMシンボル内の前記RE、前記第5のOFDMシンボル内の前記RE、前記第6のOFDMシンボル内の前記RE、および前記第7のOFDMシンボル内の前記RE上で搬送される前記CQI、前記PMI、および前記PUSCH上の前記データのうちの前記少なくとも1つを上書きするように特に構成される、請求項11に記載のUE。
【請求項１５】
第1のアップリンク復調参照信号UL DMRSパターンにおいて、アップリンクサブフレーム内の1つの直交周波数分割多重OFDMシンボル内のREが、前記UL DMRSを搬送するのに使用される、基地局であって、
ユーザ機器UEによって送信されたアップリンクサブフレームを受信するように構成された受信器であって、前記アップリンクサブフレーム内のリソース要素REは、前記第1のアップリンク復調参照信号UL DMRSパターンに従ってアップリンク制御情報UCIを搬送し、前記UCIを搬送する前記REが配置されるOFDMシンボルは、前記UL DMRSを搬送する前記REが配置される前記OFDMシンボルに隣接する、受信器と、
前記第1のUL DMRSパターンに従って、前記受信器によって受信された前記アップリンクサブフレーム内で搬送される前記UCIを獲得するように構成されたプロセッサと
を含み、
前記UCIは、ランク表示RIと、肯定応答ACKおよび否定応答NACKのうちの少なくとも1つとを含み、
前記アップリンクサブフレーム内で、前記RIは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第1のOFDMシンボル内のRE上で搬送され、
前記アップリンクサブフレーム内で、前記ACKおよび前記NACKのうちの少なくとも1つは、第1のOFDMシンボル、第2のOFDMシンボル、第3のOFDMシンボル、第5のOFDMシンボル、第6のOFDMシンボル、第7のOFDMシンボル、第8のOFDMシンボル、および第9のOFDMシンボルのうちの少なくとも2つの第2のOFDMシンボル内のRE上で搬送される、基地局。
【請求項１６】
前記プロセッサは、前記第1のOFDMシンボル内の前記RE上で搬送される前記RIを獲得し、前記第2のOFDMシンボル内の前記RE上で搬送される前記ACKおよび前記NACKのうちの前記少なくとも1つを獲得し、第1のRE上で搬送される前記CQI、前記PMI、および前記PUSCH上の前記データのうちの少なくとも1つを獲得するように特に構成され、前記第1のREは、UL DMRSを搬送せず、RIを搬送せず、ACKまたはNACKを搬送しないREである、請求項15に記載の基地局。
【請求項１７】
前記プロセッサは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のREおよび前記アップリンクサブフレーム内の前記第7のOFDMシンボル内のRE上で搬送される前記ACKおよび前記NACKのうちの前記少なくとも1つの、前記第1の部分を除く第2の部分とを獲得するように特に構成される、請求項16に記載の基地局。
【請求項１８】
前記プロセッサは、前記アップリンクサブフレーム内の前記第2のOFDMシンボル内のREおよび前記アップリンクサブフレーム内の前記第6のOFDMシンボル内のRE上で搬送される前記RIの第1の部分と、前記アップリンクサブフレーム内の前記第1のOFDMシンボル内のREおよび前記アップリンクサブフレーム内の前記第7のOFDMシンボル内のRE上で搬送される前記RIの、前記第1の部分を除く第2の部分とを獲得し、前記アップリンクサブフレーム内の前記第1のOFDMシンボル内のRE、前記アップリンクサブフレーム内の前記第3のOFDMシンボル内のRE、前記アップリンクサブフレーム内の前記第5のOFDMシンボル内のRE、および前記アップリンクサブフレーム内の前記第7のOFDMシンボル内のRE上で搬送される前記ACKおよび前記NACKのうちの前記少なくとも1つを獲得するように特に構成される、請求項16に記載の基地局。
【請求項１９】
前記プロセッサは、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記RIを獲得し、前記アップリンクサブフレーム内の前記第3のOFDMシンボル内のREおよび前記アップリンクサブフレーム内の前記第5のOFDMシンボル内のRE上で搬送される前記ACKおよび前記NACKのうちの前記少なくとも1つの第1の部分と、前記アップリンクサブフレーム内の前記第1のOFDMシンボル内のRE、前記アップリンクサブフレーム内の前記第2のOFDMシンボル内のRE、前記アップリンクサブフレーム内の前記第6のOFDMシンボル内のRE、および前記アップリンクサブフレーム内の前記第7のOFDMシンボル内のRE上で搬送される前記ACKおよび前記NACKのうちの前記少なくとも1つの、前記第1の部分を除く第2の部分とを獲得するように特に構成される、請求項16に記載の基地局。
【請求項２０】
前記受信器は、前記UEによって送信された指示情報を受信するようにさらに構成され、前記指示情報は、前記RIと前記ACKおよび前記NACKのうちの前記少なくとも1つとによって占められるREの、前記アップリンクサブフレームの時間-周波数リソース内の位置を示すのに使用され、
前記プロセッサは、前記受信器によって受信された前記指示情報に従って、前記第1のOFDMシンボル内の前記RE上で搬送される前記RIを獲得し、前記受信器によって受信された前記指示情報に従って、前記第2のOFDMシンボル内の前記RE上で搬送される前記ACKおよび前記NACKのうちの前記少なくとも1つを獲得するように特に構成される
請求項16に記載の基地局。
【国際調査報告】
2016527758.tif 000032
2016527758.tif 000033
2016527758.tif 000034
2016527758.tif 000035
2016527758.tif 000036
2016527758.tif 000037